(57)【要約】周期的ＲＮＡ更新タイマーを取り扱うための方法及び無線デバイスが開示される。条件に基づいて更新タイマーを停止させるために、無線デバイス（ＷＤ）におい方法が実行され、当該条件は、ＷＤが、ＲＲＣ再開要求メッセージに応じて、RRC_CONNECTED状態へのＷＤの遷移をトリガするＲＲＣセットアップメッセージを受信すること、ＲＲＣ再開要求メッセージに応じて、RRC_IDLE状態へのＷＤの遷移をトリガするＲＲＣリリースメッセージを受信すること、ＲＲＣ再開要求メッセージを送信した後に、ＲＲＣ再開メッセージ、ＲＲＣサスペンドメッセージ、又はＲＲＣリリースメッセージの受信に失敗すること、RRC_CONNECTED状態を介して遷移することなく、RRC_INACTIVE状態からRRC_IDLE状態になること、を含む。
2021520740.tif 000002
【特許請求の範囲】
【請求項１】
ネットワークノード（１６）と通信するように構成された無線デバイス（２２）であって、前記無線デバイス（２２）は処理回路（８４）を備え、当該処理回路は、
前記無線デバイス（２２）が無線リソース制御（ＲＲＣ）非アクティブ状態であることに少なくとも部分的に基づいて、周期的・無線アクセスネットワーク（ＲＡＮ）ベース通知エリア（ＲＮＡ）更新タイマーであって、当該周期的ＲＮＡ更新タイマーが満了したときにＲＲＣ再開手順を開始するように構成されている、前記周期的ＲＮＡ更新タイマーを始動させ、
前記周期的ＲＮＡ更新タイマーが動作中である場合に、ＲＲＣシグナリングに少なくとも部分的に基づいている条件が満たされたことに少なくとも部分的に基づいて、前記周期的ＲＮＡ更新タイマーの満了前に前記周期的ＲＮＡ更新タイマーを停止させる、
ように構成されている、無線デバイス。
【請求項２】
請求項１に記載の無線デバイス（２２）であって、前記条件が満たされることは、前記無線デバイス（２２）が、ＲＲＣ接続状態への前記無線デバイス（２２）の遷移をトリガするためのＲＲＣセットアップメッセージを、ＲＲＣ再開要求メッセージに応じて受信することに対応する、無線デバイス。
【請求項３】
請求項１に記載の無線デバイス（２２）であって、前記条件が満たされることは、前記無線デバイス（２２）が、前記無線デバイス（２２）がＲＲＣ非アクティブ状態に留まることを示すＲＲＣサスペンドメッセージを、ＲＲＣ再開要求メッセージに応じて受信することに対応する、無線デバイス。
【請求項４】
請求項３に記載の無線デバイス（２２）であって、前記処理回路（８４）は更に、前記受信されたＲＲＣサスペンドメッセージが、前記周期的ＲＮＡ更新タイマーに関連付けられた設定を含む場合には、前記受信されたＲＲＣサスペンドメッセージ内の少なくとも当該設定に従って前記周期的ＲＮＡ更新タイマーを再始動させるように構成されている、無線デバイス。
【請求項５】
請求項３に記載の無線デバイス（２２）であって、前記処理回路（８４）は更に、前記受信されたＲＲＣサスペンドメッセージが、前記周期的ＲＮＡ更新タイマーに関連付けられた設定を含まない場合には、以前の設定に従って前記周期的ＲＮＡ更新タイマーを再始動させるように構成されている、無線デバイス。
【請求項６】
請求項１に記載の無線デバイス（２２）であって、前記条件が満たされることは、前記無線デバイス（２２）が、ＲＲＣアイドル状態への前記無線デバイス（２２）の遷移をトリガするＲＲＣリリースメッセージを、ＲＲＣ再開要求メッセージに応じて受信することに対応する、無線デバイス。
【請求項７】
請求項１に記載の無線デバイス（２２）であって、前記条件が満たされることは、前記無線デバイス（２２）が、ＲＲＣ再開要求メッセージを送信した後に、ＲＲＣ再開メッセージ、ＲＲＣサスペンドメッセージ、又はＲＲＣリリースメッセージのうちの１つの受信に失敗することに対応する、無線デバイス。
【請求項８】
請求項１に記載の無線デバイス（２２）であって、前記条件が満たされることは、前記無線デバイス（２２）が、ＲＲＣ接続状態を介して遷移することなく、ＲＲＣ非アクティブ状態からＲＲＣアイドル状態になることに対応する、無線デバイス。
【請求項９】
請求項１乃至８のいずれか一項に記載の無線デバイス（２２）であって、前記周期的ＲＮＡ更新タイマーの前記始動は、前記ＲＲＣ非アクティブ状態になることに応じてトリガされる、無線デバイス。
【請求項１０】
ネットワークノード（１６）と通信するように構成された無線デバイス（２２）において実行される方法であって、前記方法は、
前記無線デバイス（２２）が無線リソース制御（ＲＲＣ）非アクティブ状態であることに少なくとも部分的に基づいて、周期的・無線アクセスネットワーク（ＲＡＮ）ベース通知エリア（ＲＮＡ）更新タイマーであって、当該周期的ＲＮＡ更新タイマーが満了したときにＲＲＣ再開手順を開始するように構成されている、前記周期的ＲＮＡ更新タイマーを始動させること（Ｓ１３４）と、
前記周期的ＲＮＡ更新タイマーが動作中である場合に、ＲＲＣシグナリングに少なくとも部分的に基づいている条件が満たされたことに少なくとも部分的に基づいて、前記周期的ＲＮＡ更新タイマーの満了前に前記周期的ＲＮＡ更新タイマーを停止させること（Ｓ１３６）と、
を含む、方法。
【請求項１１】
請求項１０に記載の方法であって、前記条件が満たされることは、前記無線デバイス（２２）が、ＲＲＣ接続状態への前記無線デバイス（２２）の遷移をトリガするためのＲＲＣセットアップメッセージを、ＲＲＣ再開要求メッセージに応じて受信することに対応する、方法。
【請求項１２】
請求項１０に記載の方法であって、前記条件が満たされることは、前記無線デバイス（２２）が、前記無線デバイスがＲＲＣ非アクティブ状態に留まることを示すＲＲＣサスペンドメッセージを、ＲＲＣ再開要求メッセージに応じて受信することに対応する、方法。
【請求項１３】
請求項１２に記載の方法であって、前記受信されたＲＲＣサスペンドメッセージが、前記周期的ＲＮＡ更新タイマーに関連付けられた設定を含む場合には、前記受信されたＲＲＣサスペンドメッセージ内の少なくとも当該設定に従って前記周期的ＲＮＡ更新タイマーを再始動させることを更に含む、方法。
【請求項１４】
請求項１２に記載の方法であって、前記受信されたＲＲＣサスペンドメッセージが、前記周期的ＲＮＡ更新タイマーに関連付けられた設定を含まない場合には、以前の設定に従って前記周期的ＲＮＡ更新タイマーを再始動させることを更に含む、方法。
【請求項１５】
請求項１０に記載の方法であって、前記条件が満たされることは、前記無線デバイス（２２）が、ＲＲＣアイドル状態への前記無線デバイス（２２）の遷移をトリガするＲＲＣリリースメッセージを、ＲＲＣ再開要求メッセージに応じて受信することに対応する、方法。
【請求項１６】
請求項１０に記載の方法であって、前記条件が満たされることは、前記無線デバイス（２２）が、ＲＲＣ再開要求メッセージを送信した後に、ＲＲＣ再開メッセージ、ＲＲＣサスペンドメッセージ、又はＲＲＣリリースメッセージのうちの１つの受信に失敗することに対応する、方法。
【請求項１７】
請求項１０に記載の方法であって、前記条件が満たされることは、前記無線デバイス（２２）が、ＲＲＣ接続状態を介して遷移することなく、ＲＲＣ非アクティブ状態からＲＲＣアイドル状態になることに対応する、方法。
【請求項１８】
請求項１０乃至１８のいずれか一項に記載の方法であって、前記周期的ＲＮＡ更新タイマーの前記始動は、前記ＲＲＣ非アクティブ状態になることに応じてトリガされる、方法。
【請求項１９】
ネットワークノード（１６）と通信するように構成された無線デバイス（２２）であって、前記無線デバイス（２２）は処理回路（８４）を備え、当該処理回路は、
前記無線デバイス（２２）が無線リソース制御（ＲＲＣ）非アクティブ状態であることに少なくとも部分的に基づいて、周期的・無線アクセスネットワーク（ＲＡＮ）ベース通知エリア（ＲＮＡ）更新タイマーであって、当該周期的ＲＮＡ更新タイマーが満了したときにＲＲＣ再開手順を開始するように構成されている、前記周期的ＲＮＡ更新タイマーを始動させ、
ＲＲＣメッセージを受信し、
前記周期的ＲＮＡ更新タイマーが動作中である場合に、前記受信されたメッセージに少なくとも部分的に基づいて、前記周期的ＲＮＡ更新タイマーの満了前に前記周期的ＲＮＡ更新タイマーを停止させる、
ように構成されている、無線デバイス。
【請求項２０】
請求項１９に記載の無線デバイス（２２）であって、前記ＲＲＣメッセージは、ＲＲＣセットアップメッセージ、ＲＲＣ再開要求メッセージ、ＲＲＣサスペンドメッセージ、及びＲＲＣリリースメッセージのうちの１つである、無線デバイス。
【発明の詳細な説明】
【技術分野】
【０００１】
本開示は、無線通信に関するものであり、特に、周期的・無線アクセスネットワーク（ＲＡＮ）ベース通知エリア（ＲＮＡ）更新タイマーの取り扱いに関するものである。
【背景技術】
【０００２】
ＬＴＥにおけるＲＲＣコネクションの再開
ロングタームエボリューション（ＬＴＥ）第３世代パートナシッププロジェクト（３ＧＰＰ）リリース（Ｒｅｌ）１３では、無線デバイス（ＷＤ）がネットワークによってRRC_IDLE状態に似たサスペンド状態とされるメカニズムが導入されたが、ＷＤがアクセス層（ＡＳ）コンテキスト又は無線リソース制御（ＲＲＣ）コンテキストを保存するという差がある。これは、ＲＲＣコネクションを最初から確立する代わりに、ＲＲＣコネクションを再開することによってＷＤが再びアクティブになる場合のシグナリングを低減することを可能にする。シグナリングを低減することは、いくつかの利点を有しうる：
●インターネットにアクセスするスマートフォン等についてのレイテンシの低減。
●シグナリングの低減は、非常に少ないデータを送信するマシンタイプのデバイスのバッテリ消費の低減につながること。
【０００３】
リリース１３のソリューションは、ＷＤが、RRCConnectionResumeRequest（ＲＲＣコネクション再開要求）メッセージをネットワークへ送信することと、それに応じてRRCConnectionResume（ＲＲＣコネクション再開）をネットワークから受信することとに基づいている。RRCConnectionResumeは、暗号化はされないが完全性（integrity）は保護される。
【０００４】
ＮＲ及び場合によってはＬＴＥリリース１５におけるRRC_INACTIVE
第３世代パートナシッププロジェクト（３ＧＰＰ）シリーズの規格における第５世代ニューレディオ（５Ｇ ＮＲ：5G New Radio）に関する標準化作業の一部として、ＬＴＥリリース１３におけるサスペンド状態と同様の属性を有するRRC_INACTIVE状態をＮＲがサポートすべきであることが決定されている。RRC_INACTIVE状態は、当該状態が別個のＲＲＣ状態であり、かつ、ＬＴＥにおけるようなRRC_IDLE状態の一部ではないという点で、後の状態とわずかに異なった属性を有している。更に、コアネットワーク／無線アクセスネットワーク（ＣＮ／ＲＡＮ）コネクション（ＮＧ又はＮ２インタフェース）は、ＬＴＥでは中断される一方で、RRC_INACTIVE状態に対しては維持される。図１は、ＮＲにおけるこれらの状態間の可能性のある状態遷移を示す。
【０００５】
上記の状態の属性は以下のとおりである：
RRC_IDLE：
●ＷＤ１固有の間欠受信（ＤＲＸ）モードが上位レイヤによって設定されうる；
●ＷＤ１制御モビリティは、ネットワーク設定に基づいている；及び
●ＷＤ１が：
ａ）５Ｇ−Ｓ−一時的モバイル加入者識別子（ＴＭＳＩ：temporary mobile subscriber identity）を使用して、ＣＮページングのためのページングチャネルをモニタリングする；
ｂ）隣接セル測定とセル（再）選択とを行う；及び
ｃ）システム情報を取得する。
【０００６】
RRC_INACTIVE：
●ＷＤ１固有のＤＲＸが上位レイヤ又は無線リソース制御（ＲＲＣ）レイヤによって設定されうる；
●ＷＤ１制御モビリティは、ネットワーク設定に基づいている；
●ＷＤ１は、アクセス階層（ＡＳ）コンテキストを保存する；及び
●ＷＤ１が：
ａ）5G-S-TMSIを使用して、ＣＮページングのためのページングチャネルをモニタリングし、Ｉ−無線ネットワーク一時的識別識別子（ＲＮＴＩ：radio network temporary identifier）を使用して、ＲＡＮページングをモニタリングする；
ｂ）隣接セル測定とセル（再）選択とを行う；
ｃ）ＲＡＮベース通知エリアの更新を、定期的に、及びＲＡＮベース通知エリア外に移動する際に、実行する；及び
ｄ）システム情報を取得する。
【０００７】
RRC_CONNECTED：
●ＷＤ１は、ＡＳコンテキストを保存する。
●ＷＤ１との間のユニキャストデータの転送。
●下位レイヤでは、ＷＤ１固有のＤＲＸがＷＤに設定されうる；
●キャリアアグリゲーション（ＣＡ）をサポートするＷＤ１の場合、帯域幅を増加させるために、セカンダリプライマリセル（ＳｐＣｅｌｌ）とアグリゲーションされた１つ以上のセカンダリセル（ＳＣｅｌｌ）を使用する；
●ＤＣサブキャリアをサポートするＷＤ１の場合、帯域幅を増加させるために、マスターセルグループ（ＭＣＧ：master cell group）とアグリゲーションされた１つのセカンダリセルグループ（ＳＣＧ：secondary cell group）を使用する；
●ネットワーク制御モビリティ、即ち、ＮＲ内のハンドオーバ及び進化型ユニバーサル地上無線アクセスネットワーク（Ｅ−ＵＴＲＡＮ）との間のハンドオーバ；及び
●ＷＤ１が：
ａ）ページングチャネルをモニタリングする；
ｂ）共有データチャネルに関連付けられた制御チャネルをモニタリグして、それに対してデータがスケジューリングされているかどうかを判定する；
ｃ）チャネル品質及びフィードバック情報を提供する；
ｄ）隣接セル測定と測定報告とを行う；及び
ｅ）システム情報を取得する。
【０００８】
周期的ＲＮＡ更新タイマーの構成
ＮＲでは、RRC_CONNECTED状態からRRC_INACTIVE状態への遷移が１つのステップで行われ、以下に示すように、周期的ＲＮＡのためのタイマーを含みうることが合意されている：
【０００９】
ＲＡＮ２‐９８ − ２０１７年５月
●ＣＯＮＮＥＣＴＥＤ状態からＩＮＡＣＴＩＶＥ状態へのＲＲＣ状態遷移は、１ステップ手順に従う。
ＲＡＮ２‐９９ − ２０１７年８月
●CONNECTED状態からINACTIVE RRC状態への遷移の場合、ＲＲＣコネクションリリースタイプのメッセージが使用され、シグナリング無線ベアラ１（ＳＲＢ１）で送信される。
●CONNECTED状態からINACTIVE RRC状態への遷移の場合、ＲＲＣコネクションリリースタイプのメッセージは、（ａ）原因情報、リダイレクトキャリア周波数、及びモビリティ制御情報を含み、（ｂ）ＷＤ１アイデンティティ（又はＷＤ１コンテキストアイデンティティ）を含みうるとともに、オプションで、（ｃ）サスペンション／非アクティブ化インジケーション（暗黙的又は明示的のいずれか）、（ｄ）無線アクセスネットワーク（ＲＡＮ）設定されたＤＲＸサイクル、（ｅ）ＲＡＮ周期的通知タイマー、及び（ｆ）ＲＡＮ通知エリア、を含みうる。図２には、RRC_Connected状態からRRC_Inactive状態への、対応する遷移図が示されている。
【００１０】
サスペンドインジケーションを伴うＲＲＣリリースメッセージ、又はＲＲＣサスペンドと称される別個のメッセージを使用して、遷移が実行されるべきかどうかについての議論が進行中であるが、最終的な決定にかかわらず、そのメッセージは周期的ＲＮＡ更新タイマーを含みうる。
【００１１】
ＷＤ１が、ＲＲＣサスペンド（又は同等の）メッセージを受信するとタイマーを始動させるものとする。また、ＷＤ１が、Ｔ３８０と称される、当該タイマーの満了時に周期的ＲＮＡ更新をトリガするものとする。
【００１２】
現在のコネクション制御（ＣＲ：Connection Control）では、タイマーを始動させるための手順が、（例えば、ＲＲＣサスペンドメッセージを使して）以下のように実装されうる：
【００１３】
ＷＤ１によるRRCSuspendの受信
１つの可能性のある手順によれば、ＷＤ１は、以下を行いうる：
●このサブ節に規定される後続のアクションを、RRCSuspendメッセージが受信された瞬間から、又はオプションで、下位レイヤがRRCSuspendメッセージの受信が正常に確認応答されたことを知らせるときから、Ｘミリ秒だけ遅延させる（Ｘは、ＬＴＥの場合のように、設定可能である、又は６０に固定されうる）；
●RRCSuspendメッセージにidleModeMobilityControlInfoが含まれている場合：
ａ）idleModeMobilityControlInfoによって提供されるセル再選択優先度情報を保存する；
ｂ）Ｔ３２０（即ち、タイマー）が含まれている場合：
ｉ）タイマー値がＴ３２０の値に従って設定された状態でタイマーＴ３２０を始動させる；
●それ以外の場合：
ａ）システム情報におけるセル再選択優先度情報のブローキャストを適用する；
●ネットワークによって提供される以下の情報、resumeIdentity、nextHopChainingCount、ran-PagingCycle、及びran-NotificationAreaInfoを保存する；
●全ＳＲＢ及びＤＲＢのための無線リンク制御（ＲＬＣ）エンティティを再確立する；
●ＭＡＣをリセットする；
●RRCResumeRequestに応じてRRCSuspendメッセージが受信された場合を除き：
ａ）現在のＲＲＣ設定を含むＷＤ ＡＳコンテキスト、現在のセキュリティコンテキスト、ロバストヘッダ圧縮（ＲＯＨＣ：robust header compression）状態を含むＰＤＣＰ状態、ソースプライマリセル（ＰＣｅｌｌ）で使用されるＣ−ＲＮＴＩ、cellIdentity、及びソースＰＣｅｌｌの物理セルアイデンティティを保存する；
●ＳＲＢ０を除く全てのＳＲＢ及びＤＲＢをサスペンドする；
●タイマー値がperiodic-RNAU-timerに設定された状態でタイマーＴ３８０を始動させる；
●上位レイヤへのＲＲＣコネクションのサスペンドを上位レイヤへ知らせる；
●完全性保護及び暗号化をサスペンドするように下位レイヤを設定する；
●RRC_INACTIVEとなり、ＴＳ ３８．３０４に規定された手順を実行する。
【００１４】
Ｔ３８０の満了、又はＷＤ１がＲＮＡに属さないセルに入る
別の可能性のある手順によれば、ＷＤは、以下を行いうる：
●Ｔ３８０が満了した場合：
ａ）原因値を「ffs」に設定した状態で、上述のＲＲＣコネクション再開手順を開始する；
●ＷＤ１がＲＮＡに属さないセルに入っている場合：
ａ）原因値を「ffs」に設定した状態で、上述のＲＲＣコネクション再開手順を開始する；
【００１５】
このタイマーＴ３８０に関連する別のアクションは、本明細書の開示に関連する停止基準である。現在のコネクション制御では、ＷＤ１は、タイマーＴ３８０が満了すると当該タイマーを停止させる。したがって、Ｔ３８０が満了すると、ＷＤ１は、タイマーＴ３８０を停止させ、ＲＮＡに関連する原因値（例えば、「rna-update」又は「periodic-rna-update」）を有する再開要求メッセージを送信することによって、再開手順を開始する。
【００１６】
そのケースに加えて、ＷＤ１が、ＲＲＣ再開メッセージを受信するとＴ３８０タイマーを停止させることも仕様に記載されている。これは、この時点において、ネットワークが既にＷＤ１の位置についての知識を有しており、それ故に、ＲＮＡ更新を受信する必要があるためである。
【００１７】
図３乃至図７は、ＷＤ１とネットワークノード２との間の種々の状況におけるＲＲＣコネクション再開プロセスのための手順を示す。図３は、ＲＲＣコネクション再開プロセスが成功した場合を示す。図４は、ＲＲＣコネクション確立プロセスへのＲＲＣコネクション再開フォールバックが成功した場合を示す。図５は、その後にネットワーク解放プロセスが続くＲＲＣコネクション再開が成功した場合を示す。図６は、その後にネットワークサスペンドプロセスが続くＲＲＣコネクション再開が成功した場合を示す。図７は、ネットワーク拒否をもたらすＲＲＣコネクション再開を示す。
【００１８】
ＲＲＣコネクション再開手順の目的は、シグナリング無線ベアラ（ＳＲＢ：signalling radio bearer）及び個別無線ベアラ（ＤＲＢ：dedicated radio bearer）を再開すること、又はＲＮＡ更新を実行することを含む、ＲＲＣコネクションを再開することである。
【００１９】
開始
ＷＤ１は、上位レイヤがＲＲＣコネクションの再開を要求するとき、ＮＧ−ＲＡＮページングに応答するとき、又はＷＤ１がRRC_INACTIVEにある間にＲＮＡ更新をトリガすることに応じて、手順を開始する。
【００２０】
１つの可能性のある手順によれば、ＲＲＣコネクション再開手順の開始時に、ＷＤ１は（この段落において、例えばセクション９．２．４への参照は、３ＧＰＰ ＴＳ３８．３３１ｖ １５．１．０のセクションを参照する）：
●９．２．４で規定されているデフォルトの物理チャネル設定を適用する；
●９．２．３で規定されているデフォルトのセミパーシステントスケジューリング設定を適用する；
●９．２．２で規定されているデフォルトのＭＡＣメイン設定を適用する；
●９．１．１．２で規定されている共通制御チャネル（ＣＣＣＨ）設定を適用する；
●タイマーＴ３００Ｘを始動させる；
●タイマーＴ３８０を停止させる；
●例えば、3GPP TS38.331v15.1.0の５．３．１３．２に従って、RRCResumeRequestメッセージの送信を開始する。
【００２１】
【表１】
2021520740.tif 000003
【００２２】
上記の手順の第１の問題は、ＮＲのＷＤ１が、ＲＲＣ再開要求メッセージに応じて、ＷＤ１にＲＲＣコネクションに移行するように命令する、ＲＲＣセットアップメッセージを受信しうることである。この手順はＬＴＥにも存在するが、タイマーＴ３８０はＬＴＥには存在しない。それ故に、その場合には、タイマーＴ３８０を依然として動作させている可能性がある一方で、ＷＤがRRC_CONNECTED状態に移行することにつながりうる、ＮＲ用のタイマーＴ３８０について規定されたアクションは存在しない。これは、ＷＤ１がRRC_CONNECTED状態にある間にタイマーＴ３８０が満了することにつながる可能性があり、RRC_CONNECTED状態のＷＤ１の位置をネットワークは既に知っているのでそれは望ましくない。これは、不必要な信号又はエラーケースが生じさせうる。
【００２３】
第２の問題は、RRC_INACTIVEのＷＤが周期的ＲＮＡ更新以外の理由によりＲＲＣ再開要求メッセージを送信する（このため、ＷＤ１がＲＲＣ再開要求メッセージを送信する一方で、タイマーＴ３８０は依然として動作中である）場合のＴ３８０タイマーの取り扱いに関連する。一例は、モビリティトリガＲＮＡ（ＷＤ１が、その設定されたＲＮＡに属さないセルに入る）又はアップリンク（ＵＬ）早期データ送信であり、ＷＤ１は、ＲＲＣ再開要求メッセージと多重化された小規模なＵＬデータを既に送信している場合がある。この２つのケースに対応して、ネットワークは、ＲＲＣサスペンドメッセージ（又はＷＤ１をRRC_INACTIVE状態に戻す他の同等のメッセージ）で応答する場合がある。問題は、その場合のＴ３８０に関連するＷＤ１の挙動（サスペンドメッセージを伴う応答）が仕様に明確に規定されていないことであり、ＷＤが新たなタイマー値を受信する可能性がある際にタイマーが動作し続けているままである。
【００２４】
第３の問題は、RRC_INACTIVEのＷＤが周期的ＲＮＡ更新以外の理由（例えば、モビリティトリガＲＮＡ（ＷＤ１はその設定されたＲＮＡに属さないセルに入る））によりＲＲＣ再開要求メッセージを送信する際のＴ３８０タイマーの取り扱いに関連する。別の可能性のあるケースは、ＵＬ早期データ送信であり、ＷＤ１は、ＲＲＣ再開要求メッセージと既に多重化されている小規模なＵＬデータを送信しうる。これら２つのケースに応じて、ネットワークは、ＲＲＣリリースメッセージ（又は、ＷＤをRRC_IDLE状態に戻す他の同等のメッセージ）で応答する場合があり、その場合、ＷＤがＲＲＣ再開要求メッセージを送る間に、タイマーＴ３８０は動作し続けているであろう。その場合のＴ３８０に関連するＷＤ１の挙動は仕様に明確に規定されておらず、ＷＤ１が新たなタイマー値を受信する可能性がある際にタイマーが動作し続けているままである。
【００２５】
第４の問題は、RRC_INACTIVEのＷＤがＲＲＣ再開手順できない（即ち、RRC_CONNECTED状態に移行せず、それ故に、タイマーＴ３８０を停止させない）場合の、Ｔ３８０タイマーの取り扱いに関連する。これは、例えば、ＲＲＣ再開要求メッセージの送信時のカバレッジ問題のような、何らかの障害のケースに起因して起こりうる。要求の送信に応じて、タイマーＴ３００Ｘが始動し、タイマーＴ３００Ｘが動作している間にＷＤ１が応答を受信しない場合、ＷＤ１はRRC_IDLE状態に移行して上位レイヤに通知する。Ｔ３８０はRRC_INACTIVE状態で動作しているため、現在の手順によれば、ＷＤ１がRRC_IDLE状態に移行した後も動作し続けるであろう。これは、タイマーがＷＤ１が依然として到達可能であることを周期的にＲＡＮに通知するキープアライブメカニズムとして有用である一方で、RRC_IDLE状態ではＣＮがＷＤ１の到達可能性に関与するので、望ましくない挙動である。図８は、不良ダウンリンク（ＤＬ）無線状態に起因した再開手順の失敗を示す。図９は、不良アップリンク（ＵＬ）無線状態に起因した再開手順の失敗を示す。
【００２６】
第５の問題は、RRC_INACTIVEのＷＤ１が、例えば任意のINACTIVE to IDLEメカニズムに基づいて、必ずしもRRC_CONNECTED状態を経由せずにRRC_IDLE状態に移行する際のＴ３８０タイマーの取り扱いに関連し、例えば、満了時にＷＤ１に、ＷＤ１のＡＳコンテキストを解放させ、RRC_INACTIVE状態からRRC_IDLE状態に遷移させる、設定されたタイマーである。Ｔ３８０はRRC_INACTIVE状態で動作しているため、現在の手順によれば、ＷＤ１がRRC_IDLE状態に移行した後も動作し続けるであろう。これは、タイマーがＷＤ１が依然として到達可能であることを周期的にＲＡＮに通知するキープアライブメカニズムとして有用である一方で、RRC_IDLE状態ではＣＮがＷＤ１の到達可能性に関与するので、望ましくない挙動である。それ故に、Ｔ３８０が動作し続ける必要はない。
【００２７】
第６の問題は、RRC_INACTIVEのＷＤ１が、RRC_INACTIVE状態にある間に、RRC_CONNECTED状態を必ずしも経由せずにRRC_IDLE状態に移行する際のＴ３８０タイマーの取り扱いに関連し、これは、例えば、ネットワークがＷＤ１コンテキストを失い、ＷＤ１に通知する必要がある場合に、ネットワーク／ネットワークノード２によって始動されることがある。Ｔ３８０はRRC_INACTIVE状態で動作しているため、現在の手順によれば、ＷＤ１がRRC_IDLE状態に移行した後も動作し続けるであろう。これは、タイマーがＷＤ１が依然として到達可能であることを周期的にＲＡＮに通知するキープアライブメカニズムとして有用である一方で、RRC_IDLE状態ではＣＮがＷＤ１の到達可能性に関与するので、望ましくない挙動である。それ故に、Ｔ３８０が動作し続ける必要はない。
【００２８】
第７の問題は、主にＲＲＣサスペンドメッセージ（又は、ＷＤ１がRRC_INACTIVE状態に留まるべきであることを示す同等のメッセージ）の受信に関連し、周期的ＲＮＡ更新タイマーＴ３８０の既存のインスタンスが動作している間の、周期的ＲＮＡ更新Ｔ３８０タイマーの値を含んでも含まなくてもよいサスペンドメッセージの受信時の、ＷＤ１アクションについての明確性の欠如である。
【発明の概要】
【００２９】
いくつかの実施形態は、周期的ＲＮＡ更新タイマーを処理するための方法及び無線デバイスを有利に提供する。いくつかの実施形態は、ＷＤがRRC_INACTIVE状態にあるときに生じうる手順に応じて周期的ＲＮＡ更新タイマーを処理するための新たなメカニズムを導入する。本明細書では、ＷＤがＲＮＡ更新を実行すべきでない状態において、ＷＤが、不必要なシグナリング又はおかしな挙動を回避するために、動作している場合にＲＮＡ更新タイマーを停止させる、異なる複数のシナリオが記載されている。例えば、ＷＤが、ＲＲＣサスペンドメッセージ（又は、本明細書ではＲＲＣサスペンドメッセージと称される、サスペンドインジケーションを伴うＲＲＣリリースメッセージ等と同等のもの）を受信すると、又はＲＲＣリリースメッセージ（又は、ＷＤにRRC_IDLE状態になることを指示する同等のメッセージ）を受信すると、又は、ＷＤをRRC_IDLE状態に移行させる他の任意のトリガに応じて、周期的ＲＮＡ更新タイマーを停止させる方法が記載されている。
【００３０】
いくつかの実施形態は更に、ＷＤが新しいＴ３８０タイマー値を有するサスペンドメッセージを受信する際の、新しい周期的ＲＮＡタイマー値（即ち、Ｔ３８０タイマー値）の受信の処理に対処する。本明細書で使用される場合、周期的ＲＮＡタイマー、Ｔ３８０及びＴ３８０タイマーとの用語は、互いに代替可能に使用される。
【００３１】
本明細書に記載のメカニズムを使用することによって、後続のサスペンド手順に対して規定される、又はRRC_CONNECTED状態にならずにＷＤがRRC_INACTIVE状態からRRC_IDLE状態になる際の、明確なＷＤ挙動が存在する。
【００３２】
より具体的には、本明細書に記載のメカニズムを適用することによって、RRC_IDLE状態となっている間、又はＴ３８０タイマーの新たな値を含む場合も含まない場合もありうるＲＲＣサスペンドメッセージの受信したときに、ＷＤが周期的ＲＮＡタイマー（Ｔ３８０）を動作させ続けることが回避される。
【００３３】
本開示の一態様によれば、ネットワークノードと通信するように構成された無線デバイスが提供される。前記無線デバイスは、前記無線デバイスが無線リソース制御（ＲＲＣ）非アクティブ状態であることに少なくとも部分的に基づいて、周期的・無線アクセスネットワーク（ＲＡＮ）ベース通知エリア（ＲＮＡ）更新タイマーを始動させるように構成された処理回路を備え、当該周期的ＲＮＡ更新タイマーは、当該周期的ＲＮＡ更新タイマーが満了したときにＲＲＣ再開手順を開始するように構成されている。前記処理回路は、前記周期的ＲＮＡ更新タイマーが動作中である場合に、ＲＲＣシグナリングに少なくとも部分的に基づいている条件が満たされたことに少なくとも部分的に基づいて、前記周期的ＲＮＡ更新タイマーの満了前に前記周期的ＲＮＡ更新タイマーを停止させるように構成されている。
【００３４】
この態様の１つ以上の実施形態によれば、前記条件が満たされることは、前記無線デバイスが、ＲＲＣ接続状態への前記無線デバイスの遷移をトリガするためのＲＲＣセットアップメッセージを、ＲＲＣ再開要求メッセージに応じて受信することに対応する。この態様の１つ以上の実施形態によれば、前記条件が満たされることは、前記無線デバイスが、前記無線デバイスがＲＲＣ非アクティブ状態に留まることを示すＲＲＣサスペンドメッセージを、ＲＲＣ再開要求メッセージに応じて受信することに対応する。この態様の１つ以上の実施形態によれば、前記処理回路は更に、前記受信されたＲＲＣサスペンドメッセージが、前記周期的ＲＮＡ更新タイマーに関連付けられた設定を含む場合には、前記受信されたＲＲＣサスペンドメッセージ内の少なくとも当該設定に従って前記周期的ＲＮＡ更新タイマーを再始動させるように構成されている。
【００３５】
この態様の１つ以上の実施形態によれば、前記処理回路は更に、前記受信されたＲＲＣサスペンドメッセージが、前記周期的ＲＮＡ更新タイマーに関連付けられた設定を含まない場合には、以前の設定に従って前記周期的ＲＮＡ更新タイマーを再始動させるように構成されている。この態様の１つ以上の実施形態によれば、前記条件が満たされることは、前記無線デバイスが、ＲＲＣアイドル状態への前記無線デバイスの遷移をトリガするためのＲＲＣリリースメッセージを、ＲＲＣ再開要求メッセージに応じて受信することに対応する。この態様の１つ以上の実施形態によれば、前記条件が満たされることは、前記無線デバイスが、ＲＲＣ再開要求メッセージを送信した後に、ＲＲＣ再開メッセージ、ＲＲＣサスペンドメッセージ、又はＲＲＣリリースメッセージのうちの１つの受信に失敗することに対応する。
【００３６】
この態様の１つ以上の実施形態によれば、前記条件が満たされることは、前記無線デバイスが、ＲＲＣ接続状態を介して遷移することなく、ＲＲＣ非アクティブ状態からＲＲＣアイドル状態になることに対応する。この態様の１つ以上の実施形態によれば、前記周期的ＲＮＡ更新タイマーの前記始動は、前記ＲＲＣ非アクティブ状態になることに応じてトリガされる。
【００３７】
本開示の別の態様によれば、ネットワークノードと通信するように構成された無線デバイスにおいて実行される方法が提供される。周期的・無線アクセスネットワーク（ＲＡＮ）ベース通知エリア（ＲＮＡ）更新タイマーは、前記無線デバイスが無線リソース制御（ＲＲＣ）非アクティブ状態であることに少なくとも部分的に基づいて始動され、当該周期的ＲＮＡ更新タイマーが満了したときにＲＲＣ再開手順を開始するように構成されている。前記周期的ＲＮＡ更新タイマーが動作中である場合に、ＲＲＣシグナリングに少なくとも部分的に基づいている条件が満たされたことに少なくとも部分的に基づいて、前記周期的ＲＮＡ更新タイマーの満了前に前記周期的ＲＮＡ更新タイマーが停止される。
【００３８】
この態様の１つ以上の実施形態によれば、前記条件が満たされることは、前記無線デバイスが、ＲＲＣ接続状態への前記無線デバイスの遷移をトリガするためのＲＲＣセットアップメッセージを、ＲＲＣ再開要求メッセージに応じて受信することに対応する。この態様の１つ以上の実施形態によれば、前記条件が満たされることは、前記無線デバイスが、前記無線デバイスがＲＲＣ非アクティブ状態に留まることを示すＲＲＣサスペンドメッセージを、ＲＲＣ再開要求メッセージに応じて受信することに対応する。この態様の１つ以上の実施形態によれば、前記受信されたＲＲＣサスペンドメッセージが、前記周期的ＲＮＡ更新タイマーに関連付けられた設定を含む場合には、前記受信されたＲＲＣサスペンドメッセージ内の少なくとも当該設定に従って前記周期的ＲＮＡ更新タイマーが再始動される。
【００３９】
この態様の１つ以上の実施形態によれば、前記受信されたＲＲＣサスペンドメッセージが、前記周期的ＲＮＡ更新タイマーに関連付けられた設定を含まない場合には、以前の設定に従って前記周期的ＲＮＡ更新タイマーが再始動される。この態様の１つ以上の実施形態によれば、前記条件が満たされることは、前記無線デバイスが、ＲＲＣアイドル状態への前記無線デバイスの遷移をトリガするためのＲＲＣリリースメッセージを、ＲＲＣ再開要求メッセージに応じて受信することに対応する。この態様の１つ以上の実施形態によれば、前記条件が満たされることは、前記無線デバイスが、ＲＲＣ再開要求メッセージを送信した後に、ＲＲＣ再開メッセージ、ＲＲＣサスペンドメッセージ、又はＲＲＣリリースメッセージのうちの１つの受信に失敗することに対応する。
【００４０】
この態様の１つ以上の実施形態によれば、前記条件が満たされることは、前記無線デバイスが、ＲＲＣ接続状態を介して遷移することなく、ＲＲＣ非アクティブ状態からＲＲＣアイドル状態になることに対応する。この態様の１つ以上の実施形態によれば、前記周期的ＲＮＡ更新タイマーの前記始動は、前記ＲＲＣ非アクティブ状態になることに応じてトリガされる。
【００４１】
本開示の別の態様によれば、ネットワークノードと通信するように構成された無線デバイスが提供される。前記無線デバイスは、前記無線デバイスが無線リソース制御（ＲＲＣ）非アクティブ状態であることに少なくとも部分的に基づいて、周期的・無線アクセスネットワーク（ＲＡＮ）ベース通知エリア（ＲＮＡ）更新タイマーを始動させるように構成された処理回路を備え、当該周期的ＲＮＡ更新タイマーが満了したときにＲＲＣ再開手順を開始するように構成されている。前記処理回路は更に、ＲＲＣメッセージを受信するように構成され、前記周期的ＲＮＡ更新タイマーが動作中である場合に、前記受信されたメッセージに少なくとも部分的に基づいて、前記周期的ＲＮＡ更新タイマーの満了前に前記周期的ＲＮＡ更新タイマーを停止させるように構成されている。
【００４２】
この態様の１つ以上の実施形態によれば、前記ＲＲＣメッセージは、ＲＲＣセットアップメッセージ、ＲＲＣ再開要求メッセージ、ＲＲＣサスペンドメッセージ、及びＲＲＣリリースメッセージのうちの１つである。
【図面の簡単な説明】
【００４３】
添付の図面と併せて以下の詳細な説明を参照することにより、本実施形態、並びにその付随する利点及び特徴のより完全な理解がより容易に理解されるのであろう。
【００４４】
【図１】図１は、ＮＲにおける可能性のある状態遷移を示す状態図である。
【図２】図２は、RRC_Connected状態からRRC_Inactive状態への遷移図である。
【図３】図３は、ＲＲＣコネクション再開プロセスが成功した場合を示す図である。
【図４】図４は、ＲＲＣコネクション確立プロセスへのＲＲＣコネクション再開フォールバックが成功した場合を示す図である。
【図５】図５は、その後にネットワーク解放プロセスが続くＲＲＣコネクション再開が成功した場合を示す図である。
【図６】図６は、その後にネットワークサスペンドプロセスが続くＲＲＣコネクション再開が成功した場合を示す図である。
【図７】図７は、ネットワーク拒否をもたらすＲＲＣコネクション再開を示す図である。
【図８】図８は、不良ダウンリンク（ＤＬ）無線状態に起因した再開手順の失敗を示す。
【図９】図９は、不良アップリンク（ＵＬ）無線状態に起因した再開手順の失敗を示す。
【図１０】図１０は、本開示の原理による、中間ネットワークを介してホストコンピュータに接続された通信システムを示す例示的なネットワークアーキテクチャの概略図である。
【図１１】図１１は、本開示のいくつかの実施形態による、少なくとも部分的に無線コネクション上で、ネットワークノードを介して無線デバイスと通信するホストコンピュータのブロック図である。
【図１２】図１２は、本開示の１つ以上の実施形態による、無線デバイスにおける例示的なプロセスのフローチャートである。
【図１３】図１３は、本開示の１つ以上の実施形態による、無線デバイスにおける別の例示的なプロセスのフローチャートである。
【図１４】図１４は、本開示の１つ以上の実施形態による、無線デバイスにおける更に別の例示的なプロセスのフローチャートである。
【発明を実施するための形態】
【００４５】
例示的な実施形態を詳細に説明する前に、実施形態は、周期的ＲＮＡ更新タイマーの取り扱いに関連する装置コンポーネント及び処理ステップの組み合わせに主に存在することに留意されたい。したがって、コンポーネントは、適切な場合には図面中の慣習的な記号によって表されており、本明細書における説明の恩恵を受ける当業者には容易に明らかになる詳細によって本開示を不明瞭にしないように、実施形態の理解に関連する特定の詳細のみを示す。同様の番号は説明全体にわたって同様のエレメントを参照する。
【００４６】
本明細書で使用されるように、「第１の」及び「第２の」、「最上部」及び「最下部」等の関係を示す用語は、必ずしもそのようなエンティティ又はエレメント間の物理的又は論理的関係又は順序を必要とせずに又は暗示することなく、１つのエンティティ又はエレメントを別のエンティティ又はエレメントから区別するためにのみ使用されうる。本明細書で使用される用語は、特定の実施形態を記載するためだけのものであり、本明細書に記載の概念を限定することを意図していない。本明細書で使用される場合、単数形「a」、「an」及び「the」は、文脈がそれ以外を明確に示さない限り、複数形も含むことを意図している。本明細書で使用される場合、「comprises（備える/含む）」、「comprising（備える/含む）」、「includes（備える/含む）」及び／又は「including（備える/含む）」との用語は、記載された特徴、整数、ステップ、動作、エレメント、及び／又はコンポーネントの存在を特定するが、１つ以上の他の特徴、整数、ステップ、動作、エレメント、コンポーネント、及び／それらのグループの存在又は追加を排除しないものと更に理解されよう。
【００４７】
本明細書に記載の実施形態において、「in communication with（と通信している）」等の結合用語は、例えば、物理的接触、誘導、電磁放射、無線シグナリング、赤外線シグナリング、又は光シグナリングによって達成されうる、電気通信又はデータ通信を示すために使用されうる。当業者であれば複数のコンポーネントが相互動作しうること、並びに電気通信及びデータ通信を実現するための修正及び変形が可能であることを理解するであろう。
【００４８】
本明細書に記載のいくつかの実施形態において、「結合された（coupled）」、「接続された（connected）」等の用語は、必ずしも直接ではないが、コネクションを示すために本明細書で使用されうるとともに、有線コネクション及び／又は無線コネクションを含みうる。
【００４９】
インディケーションは一般に、それが表す及び／又は示す情報を明示的及び／又は暗黙的に示しうる。黙示的なインジケーションは、例えば、送信のために使用される位置及び／又はリソースに基づきうる。明示的なインジケーションは、例えば、１つ以上のパラメータ、及び／又は１つ以上のインデックス、及び／又は情報を表す１つ以上のビットパターン、を用いたパラメータ化に基づきうる。特に、利用されるリソース系列に基づいて、本明細書に記載の制御シグナリングは、制御シグナリングのタイプを黙示的に示すと考えられうる。
【００５０】
本明細書で使用される信号という用語は、任意の物理信号又は物理チャネルでありうる。物理信号の例は、ＰＳＳ、ＳＳＳ、ＣＲＳ、ＰＲＳ等のリファレンス信号である。本明細書で使用される（例えば、チャネル受信のコンテキストにおける）物理チャネルという用語は、「チャネル」とも称される。物理チャネルの例は、ＭＩＢ、ＰＢＣＨ、ＮＰＢＣＨ、ＰＤＣＣＨ、ＰＤＳＣＨ、ｓＰＵＣＣＨ、ｓＰＤＳＣＨ、ｓＰＵＣＣＨ、ｓＰＵＳＣＨ、ＭＰＤＣＣＨ、ＮＰＤＣＣＨ、ＮＰＤＳＣＨ、Ｅ−ＰＤＣＣＨ、ＰＵＳＣＨ、ＰＵＣＣＨ、ＮＰＵＳＣＨ等である。これらの用語／略語は、３ＧＰＰ規格の言語に従って、とりわけＬＴＥ及び／又はニューレディオ（ＮＲ：New Radio）に従って使用されうる。
【００５１】
セルラ通信について、例えば、ネットワークノード（特に基地局又はｅノードＢ）によって提供されうるセルを介する及び／又はセルを規定する、少なくとも１つのアップリンク（ＵＬ）コネクション及び／又はチャネル及び／又はキャリアと、少なくとも１つのダウンリンク（ＤＬ）コネクション及び／又はチャネル及び／又はキャリアとが提供されることが考慮されうる。アップリンク方向は、端末からネットワークノード（例えば、基地局及び／又は中継局）へのデータ転送方向を指しうる。ダウンリンク方向は、ネットワークノード（例えば、基地局及び／又は中継ノード）から端末へのデータ転送方向を指しうる。ＵＬ及びＤＬは、異なる周波数リソース（例えば、キャリア及び／又はスペクトル帯域）に関連付けられうる。セルは、少なくとも１つのアップリンクキャリアと、異なる周波数帯域を有しうる少なくとも１つのダウンリンクキャリアとを有しうる。ネットワークノード（例えば、基地局又はｅノードＢ）は、１つ以上のセル（例えば、ＰＣｅｌｌ及び／又はＬＡセル）を提供及び／又は規定及び／又は制御するように適合されうる。
【００５２】
ダウンリンクでの送信は、ネットワーク又はネットワークノードから端末への送信に関係しうる。アップリンクでの送信は、端末からネットワーク又はネットワークノードへの送信に関係しうる。サイドリンクでの送信は、１つの端末から別の端末への（直接の）送信に関係しうる。アップリンク、ダウンリンク、及びサイドリンク（例えば、サイドリンク送信及び受信）は、通信方向とみなされうる。いくつかの変形例では、アップリンク及びダウンリンクは、ネットワークノード間の無線通信、例えば、無線バックホール及び／又はリレー通信及び／又は例えば、基地局又は類似のネットワークノード間の（無線）ネットワーク通信、特に、そのようなネットワークノードで終端する通信を記述するためにも使用されうる。バックホール及び／又はリレー通信及び／又はネットワーク通信は、サイドリンク又はアップリンク通信又はそれらに類似するものの一形態として実装されると考えられうる。
【００５３】
一般に、設定すること（configuring）は、設定を表す設定データを決定し、それを１つ以上の他のノードに（並列に及び／又は順次）提供することを含みうる。当該１つ以上の他のノードは、それを無線ノード（又は別のノード、これは無線デバイス２２に到達するまで繰り返されてもよい）に更に送信しうる。代替的に又は追加的に、例えばネットワークノード１６又は他のデバイスによって無線ノードを設定することは、設定データ（configuration data）及び／又は設定データに関連するデータを、ネットワークノード１６のような、ネットワークの上位レベルのノードでありうる別のノードから受信すること、及び／又は受信した設定データを無線ノードへ送信することを含みうる。したがって、設定を決定し、設定データを無線ノードへ送信することは、異なるネットワークノード又はエンティティによって実行されることがあり、当該異なるネットワークノード又はエンティティは、適切なインタフェース（例えば、ＬＴＥの場合にはＸ２インタフェース、又はＮＲのための対応するインタフェース）を介して通信することが可能でありうる。端末（例えば、ＷＤ２２）を設定することは、端末のためのダウンリンク及び／又はアップリンク送信、例えば、ダウンリンクデータ及び／又はダウンリンク制御シグナリング及び／又はＤＣＩ及び／又はアップリンク制御又はデータ又は通信シグナリング、特に確認応答シグナリング、をスケジューリングすること、及び／又は、リソース及び／又はそのためのリソースプールを設定すること、を含みうる。特に、端末（例えば、ＷＤ２２）を設定することは、本開示の実施形態によれば、特定のサブフレーム又は無線リソース上での特定の測定と、そのような測定の報告とを実行するようにＷＤ２２を設定することを含みうる。
【００５４】
シグナリングは、１つ以上の信号及び／又はシンボルを含みうる。リファレンスシグナリングは、１つ以上のリファレンス信号及び／又はシンボルを含みうる。データシグナリングは、データを含む信号及び／又はシンボル、特に、ユーザデータ、及び／又はペイロードデータ、無線及び／又は物理レイヤより上の通信レイヤからのデータに関係しうる。復調リファレンスシグナリングは、１つ以上の復調信号及び／又はシンボルを含むと考えられうる。復調リファレンスシグナリングは、特に、３ＧＰＰ及び／又はＬＴＥ技術によるＤＭ−ＲＳを含みうる。復調リファレンスシグナリングは、一般に、関連するデータシグナリング又はデータを復号及び／又は復調するために、端末のような受信デバイスに対してリファレンスを提供するシグナリングを表すものと考えられうる。復調リファレンスシグナリングは、データ又はデータシグナリング（特に特定のデータ又はデータシグナリング）に関連付けられうる。データシグナリング及び復調リファレンスシグナリングは、インタレース及び／又は多重化される（例えばサブフレーム又はスロット又はシンボルをカバーする同じ時間インターバル、及び／又はリソースブロックのような同じ時間‐周波数リソース構成において配置される）と考えられうる。リソースエレメントは、例えば、１つのシンボルによってカバーされる時間及び周波数範囲、又は共通の変調で表されるビット数を表す、最小の時間‐周波数リソースを表しうる。リソースエレメントは、例えば、（特に３ＧＰＰ及び／又はＬＴＥ規格における）シンボル時間長及びサブキャリアをカバーしうる。データ送信は、特定のデータ（例えば、データの特定のブロック及び／又はトランスポートブロック）の送信を表しうる、及び／又はそれに関係しうる。一般に、復調リファレンスシグナリングは、復調リファレンスシグナリングを識別及び／又は規定しうる信号及び／又はシンボルの系列を含みうる及び／又は表しうる。
【００５５】
データ又は情報は、任意の種類のデータ（特に、制御データ又はユーザデータ又はペイロードデータのうちのいずれか１つ及び／又はそれらの任意の組み合わせ）を指しうる。制御情報（制御データとも称されうる）は、データ送信の処理、及び／又はネットワーク又は端末動作を制御する及び／又はスケジューリングする及び／又はそれに関係するデータを指しうる。
【００５６】
本明細書で使用される「ネットワークノード」との用語は、無線ネットワークに含まれる任意の種類のネットワークノードでありうる。当該ネットワークノードは、基地局（ＢＳ）、無線基地局、基地トランシーバ局（ＢＴＳ）、基地局コントローラ（ＢＳＣ）、無線ネットワークコントローラ（ＲＮＣ）、ｇノードＢ（ｇＮＢ）、進化型ノードＢ（ｅＮＢ又はｅノードＢ）、バックホール（ＩＡＢ）ノード、ノードＢ、ＭＳＲ ＢＲ等のマルチスタンダード無線（ＭＳＲ）無線ノード、マルチセル／マルチキャスト調整エンティティ（ＭＣＥ）、リレーノード、リレーを制御するドナーノード、無線アクセスポイント（ＡＰ）、送信ポイント、送信ノード、リモート無線ユニット（ＲＲＵ）リモート無線ヘッド（ＲＲＨ）、コアネットワークノード（例えば、モバイル管理エンティティ（ＭＭＥ）、自己組織化ネットワーク（ＳＯＮ）ノード、調整ノード、測位ノード、ＭＤＴノード等）、外部ノード（例えば、サードパーティノード、現在のネットワークの外部のノード）、分散アンテナシステム（ＤＡＳ）内のノード、スペクトルアクセスシステム（ＳＡＳ）ノード、エレメント管理システム（ＥＭＳ）等のうちのいずれかを更に含みうる。ネットワークノードはまた、試験装置を備えてもよい。本明細書で使用される「無線ノード」との用語は、無線デバイス（ＷＤ）又は無線ネットワークノード等の無線デバイス（ＷＤ）を示すためにも使用されうる。
【００５７】
いくつかの実施形態では、無線デバイス（ＷＤ）又はユーザ装置（ＵＥ）という非限定的な用語が互いに代替可能に使用される。本明細書のＷＤは、無線デバイス（ＷＤ）等の、無線信号でネットワークノード又は別のＷＤと通信できる任意のタイプの無線デバイスでありうる。ＷＤはまた、無線通信デバイス、ターゲットデバイス、デバイス・ツー・デバイス（Ｄ２Ｄ）ＷＤ、マシン・ツー・マシン通信（Ｍ２Ｍ）が可能なマシンタイプＷＤ若しくはＷＤ、低コスト及び／又は低複雑度ＷＤ、ＷＤを備えるセンサ、タブレット、モバイル端末、スマートフォン、laptop embedded equipped（ＬＥＥ）、 laptop mounted equipment（ＬＭＥ）、ＵＳＢドングル、カスタマ構内設備（ＣＰＥ：Customer Premises Equipment）、Internet of Things（ＩｏＴ）デバイス、又はなローバンドＩｏＴ（ＮＢ−ＩｏＴ）デバイス等であってもよい。
【００５８】
また、いくつかの実施形態では、「無線ネットワークノード」との一般的な用語が使用される。これは、基地局、無線基地局、基地トランシーバ局、基地局コントローラ、ネットワークコントローラ、ＲＮＣ、進化型ノードＢ（ｅＮＢ）、ノードＢ、ｇＮＢ、マルチセル／マルチキャスト調整エンティティ（ＭＣＥ）、リレーノード、アクセスポイント、無線アクセスポイント、リモート無線ユニット（ＲＲＵ）リモート無線ヘッド（ＲＲＨ）のいずれかを備えうる任意の種類の無線ネットワークノードでありうる。
【００５９】
例えば、３ＧＰＰ ＬＴＥ及び／又はニューレディオ（ＮＲ）のような、１つの特定の無線システムからの用語が本開示において使用されうるが、これは本開示の範囲を前述のシステムのみに限定するものとみなされるべきではないことに留意されたい。Wide Band Code Division Multiple Access（ＷＣＤＭＡ(登録商標)）、Worldwide Interoperability for Microwave Access（ＷｉＭａｘ）、Ultra Mobile Broadband（ＵＭＢ）、及びGlobal System for Mobile Communications（ＧＳＭ）を含むがこれらに限定されない他の無線システムも、本開示内でカバーされるアイデアを利用することから恩恵をうることができる。
【００６０】
更に、無線デバイス又はネットワークノードによって実行されるとして本明細書に記載される機能は、複数の無線デバイス及び／又はネットワークノード上に分散されてもよいことに留意されたい。言い換えると、本明細書に記載のネットワークノード及び無線デバイスの機能は、単一の物理デバイスによる実行に限定されず、実際にはいくつかの物理デバイス間で分散されてもよいことが考えられる。
【００６１】
別段の定義がない限り、本明細書で使用される全ての用語（技術用語及び科学用語を含む）は、本開示が属する技術分野の当業者によって一般に理解されるものと同じ意味を有する。更に、本明細書において使用される用語は本明細書及び関連技術の文脈における意味と一致する意味を有するものとして解釈されるべきであり、本明細書で明示的に定義されない限り、理想化された又は過度に形式的な意味で解釈されるべきではないことが理解されるであろう。
【００６２】
実施形態は、周期的ＲＮＡ更新タイマーを取り扱うことを提供する。本明細書で使用される場合、周期的ＲＮＡタイマー、Ｔ３８０及びＴ３８０タイマーとの用語は、互いに代替可能に使用される。いくつかの実施形態では、方法は、ＮＲにおけるRRC_INACTIVEのＷＤによって実行されるアクションとして記載される。いくつかの実施形態はそのケースに適用可能であるが実施形態が適用可能な、以下のような他の追加のケースもありうる：
●ＮＲではなくＬＴＥで手順が生じる以前の全てのケース、即ち、LTE RRC_INACTIVEのＷＤのケース；
●主に同じＣＮ（５Ｇコアネットワーク）に接続されたＬＴＥとＮＲとの間の、RRC_INACTIVE状態における無線アクセス技術（ＲＡＴ）間の手順：
●LTE RRC_CONNECTED状態のＷＤは、LTE RRC_INACTIVE状態にサスペンドされ、Ｔ３８０を始動させ、モビリティを実行してＮＲセルにキャンプオンし（即ち、NR RRC_INACTIVE状態になり）、Ｔ３８０の動作中にＮＲで再開することを試みる。
●NR RRC_CONNECTED状態のＷＤは、NR RRC_INACTIVE状態にサスペンドされ、Ｔ３８０を始動させ、モビリティを実行してＬＴＥセルにキャンプオンし（即ち、LTE RRC_INACTIVE状態に遷移し）、Ｔ３８０の動作中にＬＴＥで再開することを試みる。
【００６３】
ＲＡＴ間ケースの説明では、RRC_INACTIVE状態モビリティのための共通のＴ３８０タイマーが規定されていることに留意されたい。
【００６４】
同様のエレメントが同様の参照符号によって参照される図面に戻ると、図１０には、無線アクセスネットワーク等のアクセスネットワーク１２とコアネットワーク１４とを備える、ＬＴＥ及び／又はＮＲ（５Ｇ）等の規格をサポートしうる３ＧＰＰタイプのセルラネットワーク等の、一実施形態による通信システム１０の概略図が示されている。アクセスネットワーク１２は、ＮＢ、ｅＮＢ、ｇＮＢ又は他のタイプの無線アクセスポイント等の複数のネットワークノード１６ａ，１６ｂ，１６ｃ（まとめてネットワークノード１６と称する）を含み、それぞれが対応するカバレッジエリア１８ａ，１８ｂ，１８ｃ（まとめてカバレッジエリア１８と称する）を規定する。各ネットワークノード１６ａ，１６ｂ，１６ｃは、有線又は無線コネクション２０を介してコアネットワーク１４に接続可能である。カバレッジエリア１８ａに位置する第１の無線デバイス２２ａは、対応するネットワークノード１６ｃに無線で接続する、又は当該ネットワークノードによってページングされるように構成される。カバレッジエリア１８ｂ内の第２のＷＤ２２ｂは、対応するネットワークノード１６ａに無線で接続可能である。この例では、複数のＷＤ２２ａ，２２ｂ（まとめて無線デバイス２２と称する）が示されているが、開示された実施形態は、単一のＷＤがカバレッジエリア内にある状況、又は単一のＷＤが対応するネットワークノード１６に接続している状況にも同様に適用可能である。便宜上、２つのＷＤ２２及び３つのネットワークノード１６のみが示されているが、通信システムは、より多くのＷＤ２２及びネットワークノード１６を含みうることに留意されたい。
【００６５】
また、ＷＤ２２は、２つ以上のネットワークノード１６及び２つ以上のタイプのネットワークノード１６と同時に通信すること、及び／又は別々に通信することを行うように構成されうると考えらえる。例えば、ＷＤ２２は、ＬＴＥをサポートするネットワークノード１６と、ＮＲをサポートする同一又は異なるネットワークノード１６とのデュアルコネクティビティを有することが可能である。一例として、ＷＤ２２は、ＬＴＥ／Ｅ−ＵＴＲＡＮ用のｅＮＢ、及びＮＲ／ＮＧ−ＲＡＮ用のｇＮＢと通信可能である。
【００６６】
通信システム１０は、それ自体、ホストコンピュータ２４に接続されうる。当該ホストコンピュータは、独立型サーバ、クラウド実装型サーバ、分散型サーバのハードウェア及び／又はソフトウェアで、又はサーバファーム内の処理リソースとして実施されうる。ホストコンピュータ２４は、サービスプロバイダの所有であっても制御下にあってもよく、又は、サービスプロバイダによって又はサービスプロバイダの代わりに操作されてもよい。通信システム１０とホストコンピュータ２４との間のコネクション２６，２８は、コアネットワーク１４からホストコンピュータ２４に直接延びていてもよいし、オプションの中間ネットワーク３０を介して延びていてもよい。中間ネットワーク３０は、パブリックネットワーク、プライベートネットワーク、又はホストネットワークのうちの１つ、又は２つ以上の組み合わせであってもよい。中間ネットワーク３０は、もしあれば、バックボーンネットワーク又はインターネットであってもよい。いくつかの実施形態では、中間ネットワーク３０は、２つ以上のサブネットワーク（図示せず）を含んでもよい。
【００６７】
図１０の通信システムは、全体として、接続されたＷＤ２２ａ，２２ｂのうちの１つとホストコンピュータ２４との間の接続性を与える。当該接続性は、オーバー・ザ・トップ（ＯＴＴ：over-the-top）コネクションとして説明されうる。ホストコンピュータ２４及び接続されたＷＤ２２ａ，２２ｂは、アクセスネットワーク１２、コアネットワーク１４、任意の中間ネットワーク３０、及び可能性のある更なるインフラストラクチャ（図示せず）を媒介として使用して、ＯＴＴコネクションを介してデータ及び／又はシグナリングを通信するように構成される。ＯＴＴコネクションは、ＯＴＴコネクションが通過する参加通信デバイスの少なくとも一部が、アップリンク通信及びダウンリンク通信のルーティングに気付かないという意味で、トランスペアレントでありうる。例えば、ネットワークノード１６は、接続されたＷＤ２２ａに転送される（例えば、ハンドオーバされる）ホストコンピュータ２４から発信されたデータを有する、到着するダウンリンク通信の過去のルーティングについて通知されてなくてもよく、又は通知される必要がなくてもよい。同様に、ネットワークノード１６は、ＷＤ２２ａからホストコンピュータ２４へ向かう、発信されるアップリンク通信の将来のルーティングを知っている必要はない。
【００６８】
ネットワークノード１６は、無線デバイス２２とメッセージ及びデータを通信及びやりとりするように構成される。無線デバイス２２は、以下で説明されるように、条件のセットのうちの１つが存在する場合に更新タイマーを停止するように構成される更新タイマー制御ユニット３４を含むように構成される。無線デバイス２２は更に、例えば更新タイマー制御ユニット３４及び／又は処理回路８４を介して、ＷＤの種々の状態への遷移を決定し、かつ、生じさせるように構成される。
【００６９】
図１１を参照して、これまでの段落で説明したＷＤ２２、ネットワークノード１６及びホストコンピュータ２４の実施形態による実装例について以下で説明する。通信システム１０において、ホストコンピュータ２４は、通信システム１０の、異なる通信デバイスのインタフェースとの有線又は無線接続をセットアップ及び維持するように構成された通信インタフェース４０を含むハードウェア（ＨＷ）３８を備える。ホストコンピュータ２４は、ストレージ能力及び／又は処理能力を有しうる処理回路４２を更に備える。処理回路４２は、プロセッサ４４及びメモリ４６を含みうる。特に、中央演算処理装置等のプロセッサ及びメモリに加えて、又はその代わりに、処理回路４２は、処理及び／又は制御のための集積回路、例えば、命令を実行するように適合された１つ以上のプロセッサ及び／又はプロセッサコア及び／又はＦＰＧＡ（フィールドプログラマブルゲートアレイ）及び／又はＡＳＩＣ（特定用途向け集積回路）を備えうる。プロセッサ４４は、メモリ４６にアクセス（例えば、書き込み及び／又は読み出し）するように構成されうる。当該メモリは、任意の種類の揮発性メモリ及び／又は不揮発性メモリ、例えば、キャッシュメモリ及び／又はバッファメモリ及び／又はＲＡＭ（ランダムアクセスメモリ）及び／又はＲＯＭ（読み出し専用メモリ）及び／又は光メモリ及び／又はＥＰＲＯＭ（消去可能プログラマブル読み出し専用メモリ）を含みうる。
【００７０】
処理回路４２は、本明細書に記載の方法及び／又はプロセスのいずれかを制御するように、及び／又はそのような方法及び／又はプロセスを、例えばホストコンピュータ２４によって実行させるように構成されうる。プロセッサ４４は、本明細書に記載のホストコンピュータ２４の機能を実行するための１つ以上のプロセッサ４４に対応する。ホストコンピュータ２４は、本明細書に記載の、データ、プログラムによるソフトウェアコード及び／又は他の情報を格納するように構成されたメモリ４６を備える。いくつかの実施形態では、ソフトウェア４８及び／又はホストアプリケーション５０は、プロセッサ４４及び／又は処理回路４２によって実行されるとプロセッサ４４及び／又は処理回路４２に、ホストコンピュータ２４に関して本明細書に記載のプロセスを実行させる命令を含みうる。命令は、ホストコンピュータ２４と関連付けられたソフトウェアでありうる。
【００７１】
ソフトウェア４８は、処理回路４２によって実行可能でありうる。ソフトウェア４８は、ホストアプリケーション５０を含む。ホストアプリケーション５０は、ＷＤ２２及びホストコンピュータ２４で終端するＯＴＴコネクション５２を介して接続するＷＤ２２等のリモートユーザにサービスを提供するように動作可能でありうる。サービスをリモートユーザに提供する際に、ホストアプリケーション５０は、ＯＴＴコネクション５２を使用して送信されるユーザデータを提供しうる。「ユーザデータ」は、記載された機能を実行するものとして本明細書に記載されるデータ及び情報でありうる。一実施形態では、ホストコンピュータ２４は、サービスプロバイダに制御及び機能を提供するように構成されうるとともに、サービスプロバイダによって、又はサービスプロバイダの代わりに操作されうる。ホストコンピュータ２４の処理回路４２は、ホストコンピュータ２４がネットワークノード１６及び／又は無線デバイス２２の監視、モニタリング、制御、それへの送信及び／又はそれからの受信を可能にしうる。
【００７２】
通信システム１０は更に、通信システム１０内に設けられ、かつ、ホストコンピュータ２４及びＷＤ２２と通信することを可能にするハードウェア５８を備えるネットワークノード１６を含む。ハードウェア５８は、通信システム１０の、異なる通信デバイスのインタフェースとの有線又は無線コネクションをセットアップ及び維持するための通信インタフェース６０と、ネットワークノード１６によってサービスが行われるカバレッジエリア１８内に位置するＷＤ２２との少なくとも無線コネクション６４をセットアップ及び維持するための無線インタフェース６２とを含みうる。無線インタフェース６２は、例えば、１つ以上のＲＦ送信機、１つ以上のＲＦ受信機、及び／又は１つ以上のＲＦトランシーバとして形成されてもよく、又はそれらを含んでもよい。通信インタフェース６０は、ホストコンピュータ２４へのコネクション６６を容易にするように構成されうる。コネクション６６は、直接的であってもよいし、通信システム１０のコアネットワーク１４を通過、及び／又は通信システム１０の外部の１つ以上の中間ネットワーク３０を通過してもよい。
【００７３】
図示された実施形態では、ネットワークノード１６のハードウェア５８は処理回路６８を更に備える。処理回路６８は、プロセッサ７０及びメモリ７２を含みうる。特に、中央演算処理装置等のプロセッサ及びメモリに加えて、又はその代わりに、処理回路６８は、処理及び／又は制御のための集積回路、例えば、命令を実行するように適合された１つ以上のプロセッサ及び／又はプロセッサコア及び／又はＦＰＧＡ（フィールドプログラマブルゲートアレイ）及び／又はＡＳＩＣ（特定用途向け集積回路）を備えうる。プロセッサ７０は、メモリ７２にアクセス（例えば、書き込み及び／又は読み出し）するように構成されうる。当該メモリは、任意の種類の揮発性メモリ及び／又は不揮発性メモリ、例えば、キャッシュメモリ及び／又はバッファメモリ及び／又はＲＡＭ（ランダムアクセスメモリ）及び／又はＲＯＭ（読み出し専用メモリ）及び／又は光メモリ及び／又はＥＰＲＯＭ（消去可能プログラマブル読み出し専用メモリ）を含みうる。
【００７４】
このように、ネットワークノード１６は更に、例えばメモリ７２に内部格納された、又は外部接続によってネットワークノード１６からアクセス可能な外部メモリ（例えば、データベース、ストレージアレイ、ネットワークストレージデバイス等）に格納された、ソフトウェア７４を有している。ソフトウェア７４は、処理回路６８によって実行可能でありうる。処理回路６８は、本明細書に記載の方法及び／又はプロセスのいずれかを制御するように、及び／又はそのような方法及び／又はプロセスを、例えばネットワークノード１６によって実行させるように構成されうる。プロセッサ７０は、本明細書に記載のネットワークノード１６の機能を実行するための１つ以上のプロセッサ７０に対応する。メモリ７２は、本明細書に記載の、データ、プログラムによるソフトウェアコード及び／又は他の情報を格納するように構成される。いくつかの実施形態では、ソフトウェア７４は、プロセッサ７０及び／又は処理回路６８によって実行されるとプロセッサ７０及び／又は処理回路６８に、ネットワークノード１６に関して本明細書に記載のプロセスを実行させる命令を含みうる。
【００７５】
通信システム１０は、既に言及したＷＤ２２を更に含む。ＷＤ２２は、ＷＤ２２が現在位置しているカバレッジエリア１８にサービスを行うネットワークノード１６との無線コネクション６４をセットアップ及び維持するように構成された無線インタフェース８２を含みうるハードウェア８０を有しうる。無線インタフェース８２は、例えば、１つ以上のＲＦ送信機、１つ以上のＲＦ受信機、及び／又は１つ以上のＲＦトランシーバとして形成されてもよく、又はそれらを含んでもよい。
【００７６】
ＷＤ２２のハードウェア８０は処理回路８４を更に備える。処理回路８４は、プロセッサ８６及びメモリ８８を含みうる。特に、中央演算処理装置等のプロセッサ及びメモリに加えて、又はその代わりに、処理回路８４は、処理及び／又は制御のための集積回路、例えば、命令を実行するように適合された１つ以上のプロセッサ及び／又はプロセッサコア及び／又はＦＰＧＡ（フィールドプログラマブルゲートアレイ）及び／又はＡＳＩＣ（特定用途向け集積回路）を備えうる。プロセッサ８６は、メモリ８８にアクセス（例えば、書き込み及び／又は読み出し）するように構成されうる。当該メモリは、任意の種類の揮発性メモリ及び／又は不揮発性メモリ、例えば、キャッシュメモリ及び／又はバッファメモリ及び／又はＲＡＭ（ランダムアクセスメモリ）及び／又はＲＯＭ（読み出し専用メモリ）及び／又は光メモリ及び／又はＥＰＲＯＭ（消去可能プログラマブル読み出し専用メモリ）を含みうる。
【００７７】
このように、ＷＤ２２は更に、例えばＷＤ２２内のメモリ８８に格納された、又はＷＤ２２からアクセス可能な外部メモリ（例えば、データベース、ストレージアレイ、ネットワークストレージデバイス等）に格納された、ソフトウェア９０を有しうる。ソフトウェア９０は、処理回路８４によって実行可能でありうる。ソフトウェア９０は、クライアントアプリケーション９２を含みうる。クライアントアプリケーション９２は、ホストコンピュータ２４のサポートにより、ＷＤ２２を介して人間の又は人間以外のユーザにサービスを提供するように動作可能でありうる。ホストコンピュータ２４において、実行中のホストアプリケーション５０は、ＷＤ２２及びホストコンピュータ２４で終端するＯＴＴコネクション５２を介して、実行中のクライアントアプリケーション９２と通信しうる。ユーザにサービスを提供する際、クライアントアプリケーション９２は、ホストアプリケーション５０から要求データを受信し、当該要求データに応じてユーザデータを提供しうる。ＯＴＴコネクション５２は、要求データ及びユーザデータの両方を転送しうる。クライアントアプリケーション９２は、それが提供するユーザデータを生成するためにユーザとインタラクションしうる。
【００７８】
処理回路８４は、本明細書に記載の方法及び／又はプロセスのいずれかを制御するように、及び／又はそのような方法及び／又はプロセスを、例えばＷＤ２２によって実行させるように構成されうる。プロセッサ８６は、本明細書に記載のＷＤ２２の機能を実行するための１つ以上のプロセッサ８６に対応する。ＷＤ２２は、本明細書に記載の、データ、プログラムによるソフトウェアコード及び／又は他の情報を格納するように構成されたメモリ８８を備える。いくつかの実施形態では、ソフトウェア９０及び／又はクライアントアプリケーション９２は、プロセッサ８６及び／又は処理回路８４によって実行されるとプロセッサ８６及び／又は処理回路８４に、ＷＤ２２に関して本明細書に記載のプロセスを実行させる命令を含みうる。例えば、無線デバイス２２の処理回路８４は、以下で説明されるように、条件のセットのうちの１つが存在する場合に更新タイマーを停止するように構成される更新タイマー制御ユニット３４を含みうる。ＷＤ２２は、プロセッサ８４及び／又は処理回路８４を介して、状態を決定し、ＷＤ２２の状態間の遷移を指示するように更に構成されうる。ＷＤ２２の無線インタフェース８２は、ＲＲＣ再開要求メッセージに応じて、ＲＲＣセットアップメッセージ、ＲＲＣサスペンドメッセージ及びＲＲＣリリースメッセージを受信するように機能する。
【００７９】
いくつかの実施形態では、ネットワークノード１６、ＷＤ２２、及びホストコンピュータ２４の内部動作は、図１１に示されるようなものとされうるとともに、独立して、周囲のネットワークトポロジは図１０のものとされうる。
【００８０】
図１１では、あらゆる中間デバイス及びそれらのデバイスを介したメッセージの正確なルーティングに明示的に言及することなく、ＯＴＴコネクション５２が、ネットワークノード１６を介したホストコンピュータ２４と無線デバイス２２との間の通信を示すために抽象的に描かれている。ネットワークインフラストラクチャは、ＷＤ２２から若しくはホストコンピュータ２４を操作するサービスプロバイダから、又はその両方から隠すように構成されうるルーティングを決定しうる。ＯＴＴコネクション５２がアクティブである間に、ネットワークインフラストラクチャは、（例えば、負荷の考慮又はネットワークの再設定に基づいて）ルーティングを動的に変更する決定を更に行いうる。
【００８１】
ＷＤ２２とネットワークノード１６との間の無線コネクション６４は、本開示全体にわたって説明される実施形態の教示に従う。様々な実施形態のうちの１つ以上は、無線コネクション６４が最後のセグメントを形成しうるＯＴＴコネクション５２を使用してＷＤ ２２に提供されるＯＴＴサービスの性能を改善しうる。より正確には、これらの実施形態の一部の教示が、データレート、レイテンシ、及び／又は消費電力を改善することができ、それによって、ユーザの待ち時間の低減、ファイルサイズの緩和、応答性の向上、バッテリ寿命の延長等の利点を提供できる。
【００８２】
いくつかの実施形態では、１つ又は以上の実施形態が改善するデータレート、レイテンシ及びその他の要因をモニタリングする目的で、測定手順が提供されうる。更に、測定結果の変動に応じて、ホストコンピュータ２４とＷＤ２２との間のＯＴＴコネクション５２を再設定するためのオプションのネットワーク機能があってもよい。ＯＴＴコネクション５２を再設定するための測定手順及び／又はネットワーク機能は、ホストコンピュータ２４のソフトウェア４８、又はＷＤ２２のソフトウェア９０、又はその両方で実装されうる。いくつかの実施形態では、センサ（図示せず）が、ＯＴＴコネクション５２が通過する通信デバイスに配置されうるか又はそれに関連して配置されうる。当該センサは、上記で例示された、モニタリングされた量の値を供給することによって、又はソフトウェア４８，９０が当該モニタリングされた量を他の物理量の値から計算又は推定しうる、当該他の物理量の値を供給することによって、測定手順に関与しうる。ＯＴＴコネクション５２の再設定は、メッセージフォーマット、再送設定、好ましいルーティング等を含んでもよく、当該再設定は、ネットワークノード１６に影響を与える必要はなく、ネットワークノード１６には未知であるか又は感知できなくてもよい。いくつかのそのような手順及び機能は、当該分野では既知でありうるとともに実践されうる。特定の実施形態では、測定は、ホストコンピュータ２４の、スループット、伝搬時間、レイテンシ等の測定を容易にする、独自のＷＤシグナリングを含みうる。いくつかの実施形態では、測定は、ソフトウェア４８，９０が、伝搬時間、エラー等をモニタリングしながら、ＯＴＴコネクション５２を使用して、メッセージ（特に、空のメッセージ又は「ダミー」メッセージ）を送信させることで実行されうる。
【００８３】
このように、いくつかの実施形態では、ホストコンピュータ２４は、ユーザデータを提供するように構成された処理回路４２と、ＷＤ２２への送信のためにユーザデータをセルラネットワークに転送するように構成された通信インタフェース４０とを備える。いくつかの実施形態では、セルラネットワークは更に、無線インタフェース６２を有するネットワークノード１６を含む。いくつかの実施形態では、ＷＤ２２への送信の準備／開始／維持／サポート／終了のため、及び／又はＷＤ２２からの送信の受信の準備／開始／維持／サポート／終了のための、本明細書に記載の機能及び／又は方法を実行するように、ネットワークノード１６が構成される及び／又はネットワークノード１６の処理回路６８が構成される。
【００８４】
いくつかの実施形態では、ホストコンピュータ２４は、処理回路４２と、ＷＤ２２からネットワークノード１６への送信から生じるユーザデータを受信するように構成された通信インタフェース４０とを備える。いくつかの実施形態では、ネットワークノード１６への送信の準備／開始／維持／サポート／終了のため、及び／又はネットワークノード１６からの送信の受信の準備／開始／維持／サポート／終了のための、本明細書に記載の機能及び／又は方法を実行するように、ＷＤ２２が構成される及び／又は構成される無線インタフェース８２及び／又は処理回路８４をＷＤ２２が備える。
【００８５】
図１０及び図１１は、更新タイマー制御ユニット３４等の種々の「ユニット」がそれぞれのプロセッサ内にあることを示しているが、これらのユニットは当該ユニットの一部が処理回路内の対応するメモリに格納されるように実装されてもよいと考えられる。言い換えれば、上記ユニットは、処理回路内のハードウェア又はハードウェアとソフトウェアとの組み合わせで実装されてもよい。
【００８６】
図１２は、本開示のいくつかの実施形態による、無線デバイス２２における例示的なプロセスのフローチャートである。無線デバイス２２によって実行される１つ以上のブロック及び／又は機能は、無線デバイス２２の１つ以上のエレメントによって（例えば処理回路８４内の更新タイマー制御ユニット３４、プロセッサ８６、無線インタフェース８２によって）実行されうる。本明細書に記載のように、１つ以上の実施形態では、例えば処理回路８４、プロセッサ８６、更新タイマー制御ユニット８４及び無線インタフェース８６のうちの１つ以上を介して、無線デバイスは、無線デバイス２２が無線リソース制御（ＲＲＣ）非アクティブ状態であることに少なくとも部分的に基づいて、周期的・無線アクセスネットワーク（ＲＡＮ）ベース通知エリア（ＲＮＡ）更新タイマーを始動させる（ブロックＳ１３４）ように構成され、周期的ＲＮＡ更新タイマーは、当該周期的ＲＮＡ更新タイマーが満了したときにＲＲＣ再開手順を開始するように構成される。本明細書に記載のように、１つ以上の実施形態では、例えば処理回路８４、プロセッサ８６、更新タイマー制御ユニット８４及び無線インタフェース８６のうちの１つ以上を介して、無線デバイスは、周期的ＲＮＡ更新タイマーが動作中である場合に、ＲＲＣシグナリングに少なくとも部分的に基づいている条件が満たされたことに少なくとも部分的に基づいて、周期的ＲＮＡ更新タイマーの満了前に周期的ＲＮＡ更新タイマーを停止させる（ブロックＳ１３６）ように構成される。
【００８７】
１つ以上の実施形態によれば、条件が満たされることは、無線デバイス２２が、ＲＲＣ接続状態への無線デバイス２２の遷移をトリガするためのＲＲＣセットアップメッセージを、ＲＲＣ再開要求メッセージに応じて受信することに対応する。１つ以上の実施形態によれば、条件が満たされることは、無線デバイス２２が、無線デバイス２２がＲＲＣサスペンドメッセージを、ＲＲＣ再開要求メッセージに応じて受信することに対応し、当該ＲＲＣサスペンドメッセージはＲＲＣ非アクティブ状態に留まることを示す。１つ以上の実施形態によれば、処理回路８４は更に、受信されたＲＲＣサスペンドメッセージが、周期的ＲＮＡ更新タイマーに関連付けられた設定を含む場合には、受信されたＲＲＣサスペンドメッセージ内の少なくとも当該設定に従って周期的ＲＮＡ更新タイマーを再始動させるように構成される。
【００８８】
１つ以上の実施形態によれば、処理回路８４は更に、受信されたＲＲＣサスペンドメッセージが、周期的ＲＮＡ更新タイマーに関連付けられた設定を含まない場合には、以前の設定に従って周期的ＲＮＡ更新タイマーを再始動させるように構成される。１つ以上の実施形態によれば、条件が満たされることは、無線デバイスが、ＲＲＣアイドル状態への無線デバイス２２の遷移をトリガするためのＲＲＣリリースメッセージを、ＲＲＣ再開要求メッセージに応じて受信することに対応する。１つ以上の実施形態によれば、条件が満たされることは、無線デバイス２２が、ＲＲＣ再開要求メッセージを送信した後に、ＲＲＣ再開メッセージ、ＲＲＣサスペンドメッセージ、又はＲＲＣリリースメッセージのうちの１つの受信に失敗することに対応する。１つ以上の実施形態によれば、条件が満たされることは、無線デバイス２２が、ＲＲＣ接続状態を介して遷移することなく、ＲＲＣ非アクティブ状態からＲＲＣアイドル状態になることに対応する。１つ以上の実施形態によれば、周期的ＲＮＡ更新タイマーの始動は、ＲＲＣ非アクティブ状態になることに応じてトリガされる。
【００８９】
図１３は、本開示のいくつかの実施形態による、無線デバイス２２における別の例示的なプロセスのフローチャートである。無線デバイス２２によって実行される１つ以上のブロック及び／又は機能は、無線デバイス２２の１つ以上のエレメントによって（例えば処理回路８４内の更新タイマー制御ユニット３４、プロセッサ８６、無線インタフェース８２によって）実行されうる。例えば処理回路８４、プロセッサ８６、更新タイマー制御ユニット３４、及び無線インタフェース８２のうちの１つ以上を介して無線デバイス２２によって実行されるプロセスは、以下の条件のうちの１つに応じて更新タイマーを停止する（ブロックＳ１３８）ことを含み、当該条件は、ＷＤ２２が、ＲＲＣ再開要求メッセージに応じて、RRC_CONNECTED状態へのＷＤ２２の遷移をトリガするＲＲＣセットアップメッセージを受信すること、ＷＤ２２が、ＲＲＣ再開要求メッセージに応じて、ＲＲＣ非アクティブ状態に留まることを示すＲＲＣサスペンドメッセージを受信すること、ＷＤ２２が、ＲＲＣ再開要求メッセージに応じて、RRC_IDLE状態へのＷＤ２２の遷移をトリガするＲＲＣリリースメッセージを受信すること、ＷＤ２２が、ＲＲＣ再開要求メッセージを送信した後に、ＲＲＣ再開メッセージ、ＲＲＣサスペンドメッセージ、又はＲＲＣリリースメッセージの受信に失敗すること、ＷＤ２２が、RRC_CONNECTED状態を介して遷移することなく、RRC_INACTIVE状態からRRC_IDLE状態になること、である。
【００９０】
図１４は、本開示のいくつかの実施形態による、無線デバイス２２における例示的なプロセスのフローチャートである。無線デバイス２２によって実行される１つ以上のブロック及び／又は機能は、無線デバイス２２の１つ以上のエレメントによって（例えば処理回路８４内の更新タイマー制御ユニット３４、プロセッサ８６、無線インタフェース８２によって）実行されうる。１つ以上の実施形態では、例えば処理回路８４、プロセッサ８６、及び無線インタフェース８６のうちの１つ以上を介して、無線デバイスは、無線デバイスが無線リソース制御（ＲＲＣ）非アクティブ状態であることに少なくとも部分的に基づいて、周期的・無線アクセスネットワーク（ＲＡＮ）ベース通知エリア（ＲＮＡ）更新タイマーを始動させる（ブロックＳ１４０）ように構成され、周期的ＲＮＡ更新タイマーは、当該周期的ＲＮＡ更新タイマーが満了したときにＲＲＣ再開手順を開始するように構成される。１つ以上の実施形態では、無線デバイスは、例えば処理回路８４、プロセッサ８６、及び無線インタフェース８２のうちの１つ以上を介して、ＲＲＣメッセージを受信する（ブロックＳ１４２）ように構成される。本明細書に記載のように、１つ以上の実施形態では、例えば処理回路８４、プロセッサ８６、及び無線インタフェース８６のうちの１つ以上を介して、無線デバイスは、周期的ＲＮＡ更新タイマーが動作中である場合に、受信されたＲＲＣメッセージにに少なくとも部分的に基づいて、周期的ＲＮＡ更新タイマーの満了前に周期的ＲＮＡ更新タイマーを停止させる（ブロックＳ１４４）ように構成される。
【００９１】
本開示の構成の全体的なプロセスフローを説明し、本開示のプロセス及び機能を実装するためのハードウェア及びソフトウェア構成の例を提供してきたが、以下のセクションは、本開示の実施形態を実装するための、及び周期的ＲＮＡ更新タイマーを取り扱うための構成の詳細及び例を提供する。
【００９２】
第１の実施形態では、ＲＲＣセットアップメッセージを受信すると（RRC_CONNECTED状態に移行するようＷＤ２２に命令すると）、ＲＲＣ再開要求に応じて、ＷＤ２２は、処理回路８４等を介して、周期的ＲＮＡ更新タイマー（Ｔ３８０）を停止させる。なお、以下ではＷＤ２２によって行われる又は実行されるものとして示されるアクションは、処理回路８４によって実行又は制御されてもよいことに留意されたい。
【００９３】
第２の実施形態では、ＲＲＣサスペンドメッセージ（又は、ＷＤ２２がRRC_INACTIVE状態に留まってもよいことを示す任意の他の同等のメッセージ）を受信すると、ＲＲＣ再開要求に応じて、ＷＤ２２は、動作中である場合に周期的ＲＮＡ更新タイマー（Ｔ３８０）を停止させる。これは、例えば、ＷＤ２２がモビリティＲＮＡ、早期ＵＬデータ送信、又は再開手順をトリガしうる任意の他の理由に起因して再開手順をトリガする場合に生じうる。
【００９４】
第３の実施形態では、ＲＲＣリリースメッセージ（又はＷＤ２２がRRC_IDLE状態になってもよいことを示す任意の他の同等のメッセージ）を受信すると、ＲＲＣ再開要求に応じて、ＷＤ２２は、動作中である場合に周期的ＲＮＡ更新タイマー（Ｔ３８０）を停止させる。これは、例えば、ＷＤ２２がモビリティＲＮＡ、早期ＵＬデータ送信、又は再開手順をトリガしうる任意の他の理由に起因して再開手順をトリガする場合に生じうる。
【００９５】
第４の実施形態では、ＲＲＣ再開要求メッセージの送信後に、ＲＲＣ再開又はＲＲＣサスペンド又はＲＲＣリリースメッセージの受信に失敗すると（即ち、不良なＵＬカバレッジ又は不良なＤＬカバレッジに起因するタイマーＴ３００Ｘの障害）、ＷＤ２２は、動作中である場合に周期的ＲＮＡ更新タイマーを停止させる。これは、例えば、ＷＤ２２がモビリティＲＮＡ、早期ＵＬデータ送信、又は再開手順をトリガしうる任意の他の理由に起因して再開手順をトリガする場合に生じうる。ＷＤ２２がＴ３８０を停止させるその瞬間は、記載されるように、Ｔ３００Ｘの満了による、又は、ＷＤ２２がRRC_IDLE状態へ移行するとき及び／又は上位レイヤへ障害を通知するとき等、規定された後続のアクションによる、問題の検出でありうる。
【００９６】
第５の実施形態では、RRC_CONNECTED状態を必ずしも経ることなくRRC_INACTIVE状態からRRC_IDLE状態に移行すると（例えば、満了時にＷＤ２２がそのＡＳコンテキストを解放し、RRC_INACTIVE状態からRRC_IDLE状態に遷移するように構成されたタイマー等、任意のINACTIVE to IDLEメカニズムに基づいて）、ＷＤ２２は、動作中であれば周期的ＲＮＡ更新タイマーを停止させる（Ｔ３８０）。
【００９７】
第６の実施形態では、（例えば、RRC_INACTIVE状態にある間のＣＮページングの受信によってトリガされることによって）必ずしもRRC_CONNECTED状態を経ることなく、RRC_INACTIVE状態からRRC_IDLE状態に移行すると、ＷＤ２２は、動作中であれば周期的ＲＮＡ更新タイマーを停止させる（Ｔ３８０）。
【００９８】
第７の実施形態では、ＲＲＣサスペンドメッセージ（又は、ＷＤ２２がRRC_INACTIVE状態に留まることができることを示す任意の他の同等のメッセージ）を受信すると、ＲＲＣ再開要求に応じて、ＷＤ２２は（第２の実施形態で説明したように）動作中である場合には周期的ＲＮＡ更新タイマー（Ｔ３８０）を停止させ、更に、以下のアクションのうちの少なくとも１つを実行する：
●サスペンドメッセージ（又は同等のもの）が周期的ＲＮＡ更新タイマー（Ｔ３８０）についての設定を含む場合、ＷＤ２２は以前のタイマー値を削除し、ＷＤ２２は受信した値を保存し、ＷＤ２２は新たな値に従ってタイマーＴ３８０を始動させる；
●サスペンドメッセージ（又は同等のもの）が周期的ＲＮＡ更新タイマー（Ｔ３８０）についての設定を含まない場合、ＷＤ２２は、保存された値に従ってタイマーＴ３８０を再始動させる；
●サスペンドメッセージ（又は同等のもの）が周期的ＲＮＡ更新タイマー（Ｔ３８０）の設定を含まない場合、異なる変形例では、ＷＤ２２は以前のタイマー値を削除する；
●これらの異なるアクションについては、再始動、保存された値の削除等を示すサスペンドメッセージ（又は同等のもの）に、ネットワークからの何らかのフラグが存在する可能性がある。
●いくつかの非限定的な実施形態では、これらはまた、リードコードを介して実装されてもよく、その結果、保存されたパラメータについての新たな値を受信すると、ＷＤ２２は以前に保存されたパラメータをオーバーライドし、メッセージを受信すると、都合の良いときに新たな値を適用する。
【００９９】
ＮＲ ＲＲＣ仕様（及びそれらの一部についてのいくつかの変形）における提案された実施形態の実装について以下で議論する。
【０１００】
ＷＤ２２によるRRCSetupの受信
ＷＤ２２は、RRCSetupを受信すると、以下のアクションを実行しうる：
●RRCResumeRequestに応じてRRCSetupを受信した場合：
ａ）保存されているＷＤ２２（アクセス階層）ＡＳコンテキストと、Ｉ−無線ネットワーク一時識別子（ＲＮＴＩ：radio network temporary identifier）を破棄する；
ｂ）ＲＲＣコネクション再開状態がフォールバック状態であることを上位レイヤに知らせる；
●3GPP TS 38.331v15.1.0.及び／又は3GPP TS 36.331v15.1.0.、セクション5.3.5.5等の無線通信規格に規定されているように、受信したmasterCellGroupに従ってセルグループ設定手順を実行する
●3GPP TS 38.331及び／又は3GPP TS 36.331v15.1.0、セクション5.3.5.6等の無線通信規格に規定されているように、受信したradioBearerConfigに従って無線ベアラ設定手順を実行する；
●保存されている場合、idleModePrioritiesによって提供された、又は別のＲＡＴから継承されたセル再選択優先度情報を破棄する；
【０１０１】
なお、idleModePrioritiesはRRC_INACTIVEに移行するＷＤ２２にも適用されうる。その場合、情報エレメント（ＩＥ）の名称を変更できる。プロセスは、以下のように継続しうる：
●動作中の場合、タイマーＴ３００又はＴ３００Ｘを停止させる；
【０１０２】
なお、（ＬＴＥにおけるＴ３０２、Ｔ３０３、Ｔ３０５、Ｔ３０６、Ｔ３０８に相当する）アクセス制御タイマーに関連するＷＤ２２アクションを規定する必要がありうる（例えば、所与のタイマーが動作中ではない場合に上位レイヤに通知する）。
●動作中の場合、タイマーＴ３２０を停止させる；
●動作中の場合、タイマーＴ３８０（定期的ＲＮＡ更新タイマー）を停止させる；
●RRC_CONNECTED状態に移行する；
●セル再選択手順を停止させる；
【０１０３】
なお、（RRCResumeの受信と同様に）セルの再選択を停止させることを述べることは冗長でありうる。同様に、ＷＤ２２がRRCSetupRequest又はRRCResumeRequestメッセージを送信するとセル再選択を実行し続けうることを述べることは冗長でありうる。プロセスは、以下のように継続しうる：
●現在のセルをプライマリセル（ＰＣｅｌｌ）とみなす；
●RRCSetupCompleteメッセージの内容を以下のように設定する：
【０１０４】
ａ）RRCResumeRequestに応じてRRCSetupを受信した場合：
ｉ）上位レイヤが5G-S-TMSIを提供する場合：
Ａ）ng-5G-S-TMSIを、上位レイヤから受信した値に設定する；
ｂ）選択したplmn-Identityを、SystemInformationBlockType1内のplmn-IdentityListに含まれる公衆陸上モバイルネットワーク（ＰＬＭＮ）から（3GPP TS 24.501v1.0.0等の無線通信規格に記載のように）上位レイヤによって選択されたＰＬＭＮに設定する；
ｃ）上位レイヤが「登録アクセス及びモビリティ管理機能（ＡＭＦ：Registered Access and Mobility Management Function）」を提供する場合：
ｉ）registeredAMFを以下のように含めて設定する：
Ａ）「Registered AMF」のＰＬＭＮアイデンティティが、上位レイヤによって選択されたＰＬＭＮと異なる場合：
Ｉ）plmnIdentityをregisteredAMFに含め、それを、上位レイヤから受信した「Registered AMF」のＰＬＭＮアイデンティティの値に設定する；
Ｂ）amf-Region、amf-SetId、amf-Pointerを、上位レイヤから受信した値に設定する；
ｉｉ）guami-Typeを、上位レイヤによって提供される値に含めて設定する；
【０１０５】
いくつかの実施形態では、guami-Typeが上記の条件に含まれて設定されうる。
ｄ）（3GPP TS 23.003v15.3.0等の無線通信規格に記載のように）上位レイヤが１つ以上の単一ネットワークスライス選択支援情報（Ｓ−ＮＳＳＡＩ：single network slice selection assistance information）を提供する場合：
ｉ）s-nssai-listを含め、コンテンツを、上位レイヤによって提供される値に設定する；
ｅ）上位レイヤ（即ち、通信レイヤ）から受信した情報を含むようにdedicatedInfoNASを設定する；
【０１０６】
●RRCSetupCompleteメッセージを、送信のために下位レイヤにサブミットし、その後、手順は、ＰＣｅｌｌになるように現在のセルを終了する；
【０１０７】
ＷＤ２２によるRRCSuspendの受信
（なお、RRCReleaseは、例えばサスペンドインジケータと共に、代わりに使用されうる。）
【０１０８】
ＷＤ２２は：
●このサブ節に規定される後続のアクションを、RRCSuspendメッセージが受信された瞬間から、又はオプションで、下位レイヤがRRCSuspendメッセージの受信が正常に確認応答されたことを知らせるときから、Ｘミリ秒だけ遅延させる；
【０１０９】
Ｘの値は、設定変更可能であってもよく、ＬＴＥ等におけるように６０ｍｓに固定されてもよい。
●RRCSuspendメッセージにidleModeMobilityControlInfoが含まれている場合：
ａ）idleModeMobilityControlInfoによって提供されるセル再選択優先度情報を保存する；
ｂ）Ｔ３２０が含まれている場合：
ｉ）タイマー値がＴ３２０の値に従って設定された状態でタイマーＴ３２０を始動させる；
【０１１０】
●それ以外の場合：
ａ）システム情報におけるセル再選択優先度情報のブローキャストを適用する；
【０１１１】
●ネットワークによって提供される以下の情報、resumeIdentity、nextHopChainingCount、ran-PagingCycle、及びran-NotificationAreaInfoを保存する；
●シグナリング無線ベアラ（ＳＲＢ）及び個別無線ベアラ（ＤＲＢ）全てののための無線リンク制御（ＲＬＣ）エンティティを再確立する；
●ＭＡＣをリセットする；
●RRCResumeRequestに応じてRRCSuspendメッセージが受信された場合を除き：
ａ）現在のＲＲＣ設定を含むＷＤ２２のＡＳコンテキスト、現在のセキュリティコンテキスト、ロバストヘッダ圧縮（ＲＯＨＣ）状態を含むパケットデータコンバージェンスプロトコル（ＰＤＣＰ）状態、ソースＰＣｅｌｌで使用されるセル−無線ネットワーク一時識別子（ＲＮＴＩ）、cellIdentity、及びソースＰＣｅｌｌの物理セルアイデンティティを保存する；
●ＳＲＢ０を除く全てのＳＲＢ及びＤＲＢをサスペンドする；
●動作中の場合にタイマーＴ３８０を停止させ、周期的ＲＮＡ更新タイマーのための任意の保存された値を削除する；
●タイマー値がperiodic-RNAU-timerに設定された状態でタイマーＴ３８０を始動させる；
●上位レイヤへのＲＲＣコネクションのサスペンドを上位レイヤへ知らせる；
●完全性保護及び暗号化をサスペンドするように下位レイヤを設定する；
●RRC_INACTIVEとなり、3GPP TS 38.304v1.0.1に規定された手順を実行する。
【０１１２】
Ｔ３００Ｘの動作中の、Ｔ３００Ｘの満了又は下位レイヤからの完全性チェックの障害
ＷＤ２２は：
タイマーＴ３００Ｘが満了した場合、又は完全性チェック障害インジケーションを受信した場合：
3GPP TS 38.331v1.0.1.及び／又は3GPP TS 36.331v15.1.0.のセクション5.3.11等の無線通信規格に規定されているRRC_IDLEに移行する際に、リリース原因ＲＲＣ再開失敗と共にアクションを実行する；
【０１１３】
RRC_IDLEに移行する際のＷＤアクション
ＷＤ２２は：
●ＭＡＣをリセットする；
●Ｔ３２０を除いて、タイマーＴ３８０を含む動作中の全てのタイマーを停止させる；
●保存されているＡＳコンテキスト、I-RNTI、ran-PagingCycle、ran-NotificationAreaInfoを廃棄する；
●ＲＬＣエンティティ、媒体アクセス制御（ＭＡＣ）設定、及び全ての確立されたリソースブロック（ＲＢ）についての関連パケットデータコンバージェンスプロトコル（ＰＤＣＰ）エンティティのリリースを含む、全ての無線リソースをリリースする；
●ＲＲＣコネクションのリリースを、リリースの原因とともに上位レイヤへ知らせる；
●RRC_IDLEへの移行がMobilityFromNRCommandメッセージの受信によってトリガされた場合、又はＴ３１１の動作中にＲＡＴ間セルの選択によってトリガされた場合を除き、RRC_IDLEに移行し、3GPP TS 38.304v1.0.1等の無線通信規格に規定されているような手順を実行する。
【０１１４】
当業者によって理解されるように、本明細書に記載の概念は、方法、データ処理システム、コンピュータプログラムプロダクト、及び／又は、実行可能なコンピュータプログラムを格納したコンピュータ記憶媒体として実施されうる。したがって、本明細書に記載の概念は、完全にハードウェアの実施形態、完全にソフトウェアの実施形態、又は本明細書で一般的に「回路」若しくは「モジュール」と称されるあらゆるソフトウェア及びハードウェアの態様を組み合わせた実施形態の形式を取りうる。本明細書に記載の任意のプロセス、ステップ、アクション及び／又は機能は、ソフトウェア及び／又はファームウェア及び／又はハードウェアで実装されうる対応するモジュールによって実行されうる、及び／又は関連付けられうる。更に、本開示は、コンピュータによって実行可能な、媒体内に具現化されたコンピュータプログラムコードを有する、有形のコンピュータ使用可能記憶媒体上のコンピュータプログラムプログラムの形式を取りうる。ハードディスク、ＣＤ−ＲＯＭ、電子記憶デバイス、光記憶デバイス、又は磁気記憶デバイスを含む、任意の適切な有形のコンピュータ読取可能媒体が利用されうる。
【０１１５】
いくつかの実施形態は、本明細書において、方法、システム、及びコンピュータプログラムプロダクトのフローチャート図及び／又はブロック図を参照して説明されている。フローチャート図及び／又はブロック図の各ブロック、並びにフローチャート図及び／又はブロック図のブロックの組み合わせは、コンピュータプログラム命令によって実装できることを理解されたい。これらのコンピュータプログラム命令は、マシンを生成するために、汎用コンピュータ（それによって、専用コンピュータを作成するために）、専用コンピュータ、又は他のプログラマブル・データ処理装置のプロセッサに提供されてもよく、その結果、コンピュータ又は他のプログラマブル・データ処理装置のプロセッサを介して実行される命令が、フローチャート及び／又はブロック図の１つ以上のブロックで特定された機能／アクションを実装するための手段を作り出す。
【０１１６】
これらのコンピュータプログラム命令は更に、コンピュータ又は他のプログラマブル・データ処理装置に特定の方法で機能するように指示できる、コンピュータ読取可能メモリ又は記憶媒体に格納されてもよく、その結果、コンピュータ読取可能メモリに格納された命令は、フローチャート及び／又はブロック図の１つ以上のブロックで特定された機能／アクションを実装する命令手段を含む製品を生み出す。
【０１１７】
コンピュータプログラム命令は更に、コンピュータ実装プロセスを生成するために、コンピュータ又は他のプログラマブル・データ処理装置にロードされて、当該コンピュータ又は他のプログラマブル・データ処理装置上で、一連の動作ステップを実行させてもよく、その結果、当該コンピュータ又は他のプログラマブル・データ処理装置上で実行される当該命令は、フローチャート及び／又はブロック図の１つ以上のブロックで特定された機能／アクションを実装するためのステップを提供する。
【０１１８】
ブロックに記載された機能／動作は、動作図に記載された順序とは異なる順序で行われてもよいことを理解されたい。例えば、連続して示される２つのブロックは、実際には実質的に同時に実行されてもよく、又は、ブロックに含まれる機能／動作に応じて、場合によっては逆の順序で実行されてもよい。図のいくつかは通信の主方向を示すために通信経路上に矢印を含むが、通信は描かれた矢印と反対の方向に生じることがあることが理解されるべきである。
【０１１９】
本明細書に記載の概念の動作を実行するためのコンピュータプログラムコードは、Ｊａｖａ（登録商標）又はＣ＋＋等のオブジェクト指向プログラミング言語で記述されてもよい。しかし、本開示の動作を実行するためのコンピュータプログラムコードは、「Ｃ」プログラミング言語等の従来の手続き型プログラミング言語で記述されてもよい。プログラムコードは、ユーザのコンピュータ上で全体が実行されてもよく、ユーザのコンピュータ上で一部が実行されてもよく、スタンドアロン・ソフトウェアパッケージとして実行されてもよく、ユーザのコンピュータ上で一部が実行され、かつ、リモートコンピュータ上で一部が実行されてもよく、又は、リモートコンピュータ上で全体が実行されてもよい。後者のシナリオでは、リモートコンピュータは、ローカルエリアネットワーク（ＬＡＮ）又はワイドエリアネットワーク（ＷＡＮ）を介してユーザのコンピュータに接続されてもよく、又は、（例えば、インターネットサービスプロバイダを用いてインターネットを介して）外部コンピュータに接続されてもよい。
【０１２０】
多くの種々の実施形態が、上記の説明及び図面に関連して本明細書に開示されている。これらの実施形態のあらゆる組み合わせ及びサブコンビネーションを文字通りに説明及び例示することは、過度な繰り返し及び難読化になることが理解されよう。したがって、全ての実施形態は、任意の方法及び／又は組み合わせで組み合わされることができ、図面を含む本明細書は、本明細書に記載の実施形態の全ての組み合わせ及びサブコンビネーションの、並びにそれらを作成及び使用する方法及びプロセスの、完全な書面による説明を構成すると解釈されるべきであり、そのような任意の組み合わせ又はサブコンビネーションに対する請求項群をサポートすべきである。
【０１２１】
当業者であれば、本明細書に記載の実施形態が、本明細書において具体的に示され、上記で記載されたものに限定されないことを理解しよう。加えて、上記に反対の言及がなされていない限り、添付の図面の全てが縮尺どおりではないことに留意すべきである。上記の教示に照らして様々な修正及び変形が可能である。
【０１２２】
当業者によって理解されるように、本明細書に記載の概念は、方法、データ処理システム、及び／又は、コンピュータプログラムプロダクトとして実施されうる。したがって、本明細書に記載の概念は、完全にハードウェアの実施形態、完全にソフトウェアの実施形態、又は本明細書で一般的に「回路」若しくは「モジュール」と称されるあらゆるソフトウェア及びハードウェアの態様を組み合わせた実施形態の形式を取りうる。更に、本開示は、コンピュータによって実行可能な、媒体内に具現化されたコンピュータプログラムコードを有する、有形のコンピュータ使用可能記憶媒体上のコンピュータプログラムプログラムの形式を取りうる。ハードディスク、ＣＤ−ＲＯＭ、電子記憶デバイス、光記憶デバイス、又は磁気記憶デバイスを含む、任意の適切な有形のコンピュータ読取可能媒体が利用されうる。
【０１２３】
いくつかの実施形態は、本明細書において、方法、システム、及びコンピュータプログラムプロダクトのフローチャート図及び／又はブロック図を参照して説明されている。フローチャート図及び／又はブロック図の各ブロック、並びにフローチャート図及び／又はブロック図のブロックの組み合わせは、コンピュータプログラム命令によって実装できることを理解されたい。これらのコンピュータプログラム命令は、マシンを生成するために、汎用コンピュータ、専用コンピュータ、又は他のプログラマブル・データ処理装置のプロセッサに提供されてもよく、その結果、コンピュータ又は他のプログラマブル・データ処理装置のプロセッサを介して実行される命令が、フローチャート及び／又はブロック図の１つ以上のブロックで特定された機能／アクションを実装するための手段を作り出す。
【０１２４】
これらのコンピュータプログラム命令は更に、コンピュータ又は他のプログラマブル・データ処理装置に特定の方法で機能するように指示できる、コンピュータ読取可能メモリ又は記憶媒体に格納されてもよく、その結果、コンピュータ読取可能メモリに格納された命令は、フローチャート及び／又はブロック図の１つ以上のブロックで特定された機能／アクションを実装する命令手段を含む製品を生み出す。
【０１２５】
コンピュータプログラム命令は更に、コンピュータ実装プロセスを生成するために、コンピュータ又は他のプログラマブル・データ処理装置にロードされて、当該コンピュータ又は他のプログラマブル・データ処理装置上で、一連の動作ステップを実行させてもよく、その結果、当該コンピュータ又は他のプログラマブル・データ処理装置上で実行される当該命令は、フローチャート及び／又はブロック図の１つ以上のブロックで特定された機能／アクションを実装するためのステップを提供する。
ブロックに記載された機能／動作は、動作図に記載された順序とは異なる順序で行われてもよいことを理解されたい。例えば、連続して示される２つのブロックは、実際には実質的に同時に実行されてもよく、又は、ブロックに含まれる機能／動作に応じて、場合によっては逆の順序で実行されてもよい。図のいくつかは通信の主方向を示すために通信経路上に矢印を含むが、通信は描かれた矢印と反対の方向に生じることがあることが理解されるべきである。
【０１２６】
本明細書に記載の概念の動作を実行するためのコンピュータプログラムコードは、Ｊａｖａ（登録商標）又はＣ＋＋等のオブジェクト指向プログラミング言語で記述されてもよい。しかし、本開示の動作を実行するためのコンピュータプログラムコードは、「Ｃ」プログラミング言語等の従来の手続き型プログラミング言語で記述されてもよい。プログラムコードは、ユーザのコンピュータ上で全体が実行されてもよく、ユーザのコンピュータ上で一部が実行されてもよく、スタンドアロン・ソフトウェアパッケージとして実行されてもよく、ユーザのコンピュータ上で一部が実行され、かつ、リモートコンピュータ上で一部が実行されてもよく、又は、リモートコンピュータ上で全体が実行されてもよい。後者のシナリオでは、リモートコンピュータは、ローカルエリアネットワーク（ＬＡＮ）又はワイドエリアネットワーク（ＷＡＮ）を介してユーザのコンピュータに接続されてもよく、又は、（例えば、インターネットサービスプロバイダを用いてインターネットを介して）外部コンピュータに接続されてもよい。
【０１２７】
多くの種々の実施形態が、上記の説明及び図面に関連して本明細書に開示されている。これらの実施形態のあらゆる組み合わせ及びサブコンビネーションを文字通りに説明及び例示することは、過度な繰り返し及び難読化になることが理解されよう。したがって、全ての実施形態は、任意の方法及び／又は組み合わせで組み合わされることができ、図面を含む本明細書は、本明細書に記載の実施形態の全ての組み合わせ及びサブコンビネーションの、並びにそれらを作成及び使用する方法及びプロセスの、完全な書面による説明を構成すると解釈されるべきであり、そのような任意の組み合わせ又はサブコンビネーションに対する請求項群をサポートすべきである。
【０１２８】
当業者であれば、本明細書に記載の実施形態が、本明細書において具体的に示され、上記で記載されたものに限定されないことを理解しよう。加えて、上記に反対の言及がなされていない限り、添付の図面の全てが縮尺どおりではないことに留意すべきである。上記の教示に照らして、以下の請求項群の範囲を逸脱することなく、様々な修正及び変形が可能である。
【図１】
2021520740.tif 000004
【図２】
2021520740.tif 000005
【図３】
2021520740.tif 000006
【図４】
2021520740.tif 000007
【図５】
2021520740.tif 000008
【図６】
2021520740.tif 000009
【図７】
2021520740.tif 000010
【図８】
2021520740.tif 000011
【図９】
2021520740.tif 000012
【図１０】
2021520740.tif 000013
【図１１】
2021520740.tif 000014
【図１２】
2021520740.tif 000015
【図１３】
2021520740.tif 000016
【図１４】
2021520740.tif 000017
【手続補正書】
【提出日】令和2年12月23日(2020.12.23)
【手続補正１】
【補正対象書類名】特許請求の範囲
【補正対象項目名】全文
【補正方法】変更
【補正の内容】
【特許請求の範囲】
【請求項１】
ネットワークノード（１６）と通信するように構成された無線デバイス（２２）であって、前記無線デバイス（２２）は処理回路（８４）を備え、当該処理回路は、
前記無線デバイス（２２）が無線リソース制御（ＲＲＣ）非アクティブ状態であることに少なくとも部分的に基づいて、周期的・無線アクセスネットワーク（ＲＡＮ）ベース通知エリア（ＲＮＡ）更新タイマーであって、当該周期的ＲＮＡ更新タイマーが満了したときにＲＲＣ再開手順を開始するように構成されている、前記周期的ＲＮＡ更新タイマーを始動させ、
前記周期的ＲＮＡ更新タイマーが動作中である場合に、ＲＲＣシグナリングに少なくとも部分的に基づいている条件が満たされたことに少なくとも部分的に基づいて、前記周期的ＲＮＡ更新タイマーの満了前に前記周期的ＲＮＡ更新タイマーを停止させる、
ように構成されている、無線デバイス。
【請求項２】
請求項１に記載の無線デバイス（２２）であって、前記条件が満たされることは、前記無線デバイス（２２）が、ＲＲＣ接続状態への前記無線デバイス（２２）の遷移をトリガするためのＲＲＣセットアップメッセージを、ＲＲＣ再開要求メッセージに応じて受信することに対応する、無線デバイス。
【請求項３】
請求項１に記載の無線デバイス（２２）であって、前記条件が満たされることは、前記無線デバイス（２２）が、前記無線デバイス（２２）がＲＲＣ非アクティブ状態に留まることを示すＲＲＣサスペンドメッセージを、ＲＲＣ再開要求メッセージに応じて受信することに対応する、無線デバイス。
【請求項４】
請求項３に記載の無線デバイス（２２）であって、前記処理回路（８４）は更に、前記受信されたＲＲＣサスペンドメッセージが、前記周期的ＲＮＡ更新タイマーに関連付けられた設定を含む場合には、前記受信されたＲＲＣサスペンドメッセージ内の少なくとも当該設定に従って前記周期的ＲＮＡ更新タイマーを再始動させるように構成されている、無線デバイス。
【請求項５】
請求項３に記載の無線デバイス（２２）であって、前記処理回路（８４）は更に、前記受信されたＲＲＣサスペンドメッセージが、前記周期的ＲＮＡ更新タイマーに関連付けられた設定を含まない場合には、以前の設定に従って前記周期的ＲＮＡ更新タイマーを再始動させるように構成されている、無線デバイス。
【請求項６】
請求項１に記載の無線デバイス（２２）であって、前記条件が満たされることは、前記無線デバイス（２２）が、ＲＲＣアイドル状態への前記無線デバイス（２２）の遷移をトリガするＲＲＣリリースメッセージを、ＲＲＣ再開要求メッセージに応じて受信することに対応する、無線デバイス。
【請求項７】
請求項１に記載の無線デバイス（２２）であって、前記条件が満たされることは、前記無線デバイス（２２）が、ＲＲＣ再開要求メッセージを送信した後に、ＲＲＣ再開メッセージ、ＲＲＣサスペンドメッセージ、又はＲＲＣリリースメッセージのうちの１つの受信に失敗することに対応する、無線デバイス。
【請求項８】
請求項１に記載の無線デバイス（２２）であって、前記条件が満たされることは、前記無線デバイス（２２）が、ＲＲＣ接続状態を介して遷移することなく、ＲＲＣ非アクティブ状態からＲＲＣアイドル状態になることに対応する、無線デバイス。
【請求項９】
請求項１乃至８のいずれか一項に記載の無線デバイス（２２）であって、前記周期的ＲＮＡ更新タイマーの前記始動は、前記ＲＲＣ非アクティブ状態になることに応じてトリガされる、無線デバイス。
【請求項１０】
ネットワークノード（１６）と通信するように構成された無線デバイス（２２）において実行される方法であって、前記方法は、
前記無線デバイス（２２）が無線リソース制御（ＲＲＣ）非アクティブ状態であることに少なくとも部分的に基づいて、周期的・無線アクセスネットワーク（ＲＡＮ）ベース通知エリア（ＲＮＡ）更新タイマーであって、当該周期的ＲＮＡ更新タイマーが満了したときにＲＲＣ再開手順を開始するように構成されている、前記周期的ＲＮＡ更新タイマーを始動させること（Ｓ１３４）と、
前記周期的ＲＮＡ更新タイマーが動作中である場合に、ＲＲＣシグナリングに少なくとも部分的に基づいている条件が満たされたことに少なくとも部分的に基づいて、前記周期的ＲＮＡ更新タイマーの満了前に前記周期的ＲＮＡ更新タイマーを停止させること（Ｓ１３６）と、
を含む、方法。
【請求項１１】
請求項１０に記載の方法であって、前記条件が満たされることは、前記無線デバイス（２２）が、ＲＲＣ接続状態への前記無線デバイス（２２）の遷移をトリガするためのＲＲＣセットアップメッセージを、ＲＲＣ再開要求メッセージに応じて受信することに対応する、方法。
【請求項１２】
請求項１０に記載の方法であって、前記条件が満たされることは、前記無線デバイス（２２）が、前記無線デバイスがＲＲＣ非アクティブ状態に留まることを示すＲＲＣサスペンドメッセージを、ＲＲＣ再開要求メッセージに応じて受信することに対応する、方法。
【請求項１３】
請求項１２に記載の方法であって、前記受信されたＲＲＣサスペンドメッセージが、前記周期的ＲＮＡ更新タイマーに関連付けられた設定を含む場合には、前記受信されたＲＲＣサスペンドメッセージ内の少なくとも当該設定に従って前記周期的ＲＮＡ更新タイマーを再始動させることを更に含む、方法。
【請求項１４】
請求項１２に記載の方法であって、前記受信されたＲＲＣサスペンドメッセージが、前記周期的ＲＮＡ更新タイマーに関連付けられた設定を含まない場合には、以前の設定に従って前記周期的ＲＮＡ更新タイマーを再始動させることを更に含む、方法。
【請求項１５】
請求項１０に記載の方法であって、前記条件が満たされることは、前記無線デバイス（２２）が、ＲＲＣアイドル状態への前記無線デバイス（２２）の遷移をトリガするＲＲＣリリースメッセージを、ＲＲＣ再開要求メッセージに応じて受信することに対応する、方法。
【請求項１６】
請求項１０に記載の方法であって、前記条件が満たされることは、前記無線デバイス（２２）が、ＲＲＣ再開要求メッセージを送信した後に、ＲＲＣ再開メッセージ、ＲＲＣサスペンドメッセージ、又はＲＲＣリリースメッセージのうちの１つの受信に失敗することに対応する、方法。
【請求項１７】
請求項１０に記載の方法であって、前記条件が満たされることは、前記無線デバイス（２２）が、ＲＲＣ接続状態を介して遷移することなく、ＲＲＣ非アクティブ状態からＲＲＣアイドル状態になることに対応する、方法。
【請求項１８】
請求項１０乃至１７のいずれか一項に記載の方法であって、前記周期的ＲＮＡ更新タイマーの前記始動は、前記ＲＲＣ非アクティブ状態になることに応じてトリガされる、方法。
【請求項１９】
ネットワークノード（１６）と通信するように構成された無線デバイス（２２）であって、前記無線デバイス（２２）は処理回路（８４）を備え、当該処理回路は、
前記無線デバイス（２２）が無線リソース制御（ＲＲＣ）非アクティブ状態であることに少なくとも部分的に基づいて、周期的・無線アクセスネットワーク（ＲＡＮ）ベース通知エリア（ＲＮＡ）更新タイマーであって、当該周期的ＲＮＡ更新タイマーが満了したときにＲＲＣ再開手順を開始するように構成されている、前記周期的ＲＮＡ更新タイマーを始動させ、
ＲＲＣメッセージを受信し、
前記周期的ＲＮＡ更新タイマーが動作中である場合に、前記受信されたメッセージに少なくとも部分的に基づいて、前記周期的ＲＮＡ更新タイマーの満了前に前記周期的ＲＮＡ更新タイマーを停止させる、
ように構成されている、無線デバイス。
【請求項２０】
請求項１９に記載の無線デバイス（２２）であって、前記ＲＲＣメッセージは、ＲＲＣセットアップメッセージ、ＲＲＣ再開要求メッセージ、ＲＲＣサスペンドメッセージ、及びＲＲＣリリースメッセージのうちの１つである、無線デバイス。
【国際調査報告】
2021520740.tif 000018